(57)【要約】【課題】複数の放送番組の録画予約の設定操作を容易にすることができるようにする。【解決手段】はじめに、情報処理装置は、ユーザ操作に基づいて「８時から１１時までの時間帯にＡチャンネルから放送される放送内容を録画する」といった内容での録画予約を設定する。その後、情報処理装置は、Ａチャンネル番組表のような番組情報に基づいて、その録画予約を各番組毎の録画予約に分割する。即ち、ここでは、Ａ番組の録画予約であるＡ予約、Ｂ番組の録画予約であるＢ予約、および、Ｃ番組の録画予約であるＣ予約に分割される。本発明は、パーソナルコンピュータとして構成される録画再生装置に適用可能である。【選択図】図２１
2008245324.tif 000002
【特許請求の範囲】
【請求項１】
設定された録画予約に従った録画の制御を行う情報処理装置であって、
第１の録画予約の設定情報に含まれる所定の放送局を示す第１の情報、所定の曜日を示す第２の情報、および、所定の時間帯を示す第３の情報によって特定され、放送されることが予定されている１以上の放送番組のそれぞれについて、対応する番組情報を取得する取得手段を備え、
前記取得手段によって取得された番組情報に基づいて、前記第１の録画予約の録画開始時刻が、所定の番組の途中の時刻であると判断された場合に、当該所定の番組の放送開始時刻から録画が開始されるように前記第１の録画予約の設定情報を変更する
情報処理装置。
【請求項２】
前記第１の録画予約より前の第２の録画予約の録画終了時刻が、前記所定の番組の途中であって、前記第１の録画予約の録画開始時刻より前である場合に、前記第２の録画予約の録画終了時刻を延長することによって、前記第１の録画予約の前記所定の番組の録画部分を前記第２の録画予約に合併させ、前記設定情報の変更を行う
請求項１に記載の情報処理装置。
【請求項３】
設定された録画予約に従った録画の制御を行う情報処理装置の情報処理方法であって、
第１の録画予約の設定情報に含まれる所定の放送局を示す第１の情報、所定の曜日を示す第２の情報、および、所定の時間帯を示す第３の情報によって特定され、放送されることが予定されている１以上の放送番組のそれぞれについて、対応する番組情報を取得する取得ステップと、
前記取得ステップの処理によって取得された番組情報に基づいて、前記第１の録画予約の録画開始時刻が、所定の番組の途中の時刻であると判断された場合に、当該所定の番組の放送開始時刻から録画が開始されるように前記第１の録画予約の設定情報を変更する変更ステップと
を含む情報処理方法。
【発明の詳細な説明】
【技術分野】
【０００１】
本発明は、情報処理装置および方法に関し、特に、複数の放送番組の録画予約の設定操作を容易にすることができる、情報処理装置および方法に関する。
【背景技術】
【０００２】
近年、放送番組（それを構成する映像信号と音声信号）の記録と再生が可能な記録再生装置、例えば、ハードディスクビデオレコーダ等の普及が著しい。さらに、放送番組の番組情報、例えば、いわゆるEPG（Electronic Program Guide）情報を利用して様々な処理を実行可能な記録再生装置も登場してきている（例えば、特許文献１乃至特許文献３参照）。
【０００３】
また、このような記録再生装置に対して、「特定の放送局から放送される特定の放送番組を録画する」といった内容の録画予約の設定操作をユーザは行うことができるようになっている。
【特許文献１】特開平９−９１９３号公報
【特許文献２】特開２００１−３１３８７８号公報
【特許文献３】特開２００１−８１２２号公報
【発明の開示】
【発明が解決しようとする課題】
【０００４】
しかしながら、次のような要望が多数のユーザから近年挙げられているが、特許文献１乃至特許文献３等に開示された従来の技術では、その要望に応じることは困難であるという課題があった。
【０００５】
即ち、従来の技術で応じることが困難な要望とは、複数の放送番組を録画再生装置に録画させる場合、その録画予約の設定操作を可能な限り簡単に行いたいという要望である。
【０００６】
換言すると、特許文献１乃至特許文献３等に開示された従来の技術を利用して複数の放送番組を録画再生装置に録画させる場合、複数の放送番組のそれぞれ毎に、上述した「特定の放送局から放送される特定の（対象の）放送番組を録画する」といった内容の録画予約の設定操作をユーザは繰り返し行う必要がある。このような設定操作の繰り返しは多くのユーザにとっては負担となり、その結果として、上述した要望が挙げられたのである。
【０００７】
本発明は、このような状況に鑑みてなされたものであり、複数の放送番組の録画予約の設定操作を容易にすることができるようにするものである。
【課題を解決するための手段】
【０００８】
本発明の一側面の情報処理装置は、設定された録画予約に従った録画の制御を行う情報処理装置であって、第１の録画予約の設定情報に含まれる所定の放送局を示す第１の情報、所定の曜日を示す第２の情報、および、所定の時間帯を示す第３の情報によって特定され、放送されることが予定されている１以上の放送番組のそれぞれについて、対応する番組情報を取得する取得手段を備え、前記取得手段によって取得された番組情報に基づいて、前記第１の録画予約の録画開始時刻が、所定の番組の途中の時刻であると判断された場合に、当該所定の番組の放送開始時刻から録画が開始されるように前記第１の録画予約の設定情報を変更する。
【０００９】
前記第１の録画予約より前の第２の録画予約の録画終了時刻が、前記所定の番組の途中であって、前記第１の録画予約の録画開始時刻より前である場合に、前記第２の録画予約の録画終了時刻を延長することによって、前記第１の録画予約の前記所定の番組の録画部分を前記第２の録画予約に合併させ、前記設定情報の変更を行う。
【００１０】
本発明の一側面の情報処理方法は、設定された録画予約に従った録画の制御を行う情報処理装置の情報処理方法であって、第１の録画予約の設定情報に含まれる所定の放送局を示す第１の情報、所定の曜日を示す第２の情報、および、所定の時間帯を示す第３の情報によって特定され、放送されることが予定されている１以上の放送番組のそれぞれについて、対応する番組情報を取得する取得ステップと、前記取得ステップの処理によって取得された番組情報に基づいて、前記第１の録画予約の録画開始時刻が、所定の番組の途中の時刻であると判断された場合に、当該所定の番組の放送開始時刻から録画が開始されるように前記第１の録画予約の設定情報を変更する変更ステップとを含む。
【００１１】
本発明の一側面の情報処理装置および方法においては、設定された録画予約に従った録画の制御を行う情報処理装置によって、次の処理が実行される。第１の録画予約の設定情報に含まれる所定の放送局を示す第１の情報、所定の曜日を示す第２の情報、および、所定の時間帯を示す第３の情報によって特定され、放送されることが予定されている１以上の放送番組のそれぞれについて、対応する番組情報が取得され、取得された番組情報に基づいて、前記第１の録画予約の録画開始時刻が、所定の番組の途中の時刻であると判断された場合に、当該所定の番組の放送開始時刻から録画が開始されるように前記第１の録画予約の設定情報が変更される。
【発明の効果】
【００１２】
以上のごとく、本発明によれば、録画再生装置の録画予約を設定することができる。特に、複数の放送番組を録画再生装置に録画させる場合、そのために必要な録画予約の設定操作をユーザに簡単に行わせることができる。
【発明を実施するための最良の形態】
【００１３】
以下、図面を参照して、本発明の実施の形態について説明する。
【００１４】
図１は、本発明を適用した情報処理装置であるコンテンツ記録再生装置１のハードウエア構成例を示す図である。
【００１５】
図１に示されるように、コンテンツ記録再生装置１においては、主制御部１１、コンテンツ記録部１３Ａ、および、コンテンツ記録部１３Ｂのそれぞれがネットワーク１２を介して相互に接続されている。
【００１６】
なお、ネットワーク１２の形態は特に限定されず、例えば、イーサネット（登録商標）等で構成することが可能である。また、ネットワーク１２は省略可能である。即ち、主制御部１１、コンテンツ記録部１３Ａ、および、コンテンツ記録部１３Ｂのそれぞれは、ネットワーク１２を介在することなく直接通信を行ってもよい。
【００１７】
また、以下、コンテンツ記録部１３Ａとコンテンツ記録部１３Ｂとのそれぞれを個々に区別する必要がない場合、それらをまとめて、コンテンツ記録部１３と称する。
【００１８】
さらに、図１の例では、コンテンツ記録再生装置１には２台のコンテンツ記録部１３が搭載されているが、コンテンツ記録部１３の搭載数は、図１の例に限定されず任意の数でよい。同様に、主制御部１１の搭載数も任意の数でよい。
【００１９】
主制御部１１とコンテンツ記録部１３のそれぞれの詳細なハードウエア構成例が、図２と図３のそれぞれに示されている。そこで、以下、図２と図３のそれぞれを参照して、主制御部１１とコンテンツ記録部１３のそれぞれの詳細なハードウエア構成例についてその順番で個別に説明していく。
【００２０】
はじめに、図２を参照して、主制御部１１のハードウエア構成例について説明する。
【００２１】
図２の主制御部１１において、CPU２１は、ROM２２に記憶されているプログラム、または記憶部２８からRAM２３にロードされたプログラムに従って各種の処理を実行する。RAM２３にはまた、CPU２１が各種の処理を実行する上において必要なデータなども適宜記憶される。
【００２２】
CPU２１、ROM２２、およびRAM２３は、バス２４を介して相互に接続されている。このバス２４にはまた、入出力インタフェース２５も接続されている。
【００２３】
入出力インタフェース２５には、キーボード、マウス、リモートコントローラ（受光部含む）などよりなる入力部２６、スピーカ、ディスプレイなどよりなる出力部２７、ハードディスクなどより構成される記憶部２８、並びに、ネットワーク１２（図１）を介しての他のブロック（図１の例では、コンテンツ記録部１３Ａ若しくはコンテンツ記録部１３Ｂ）との通信処理を制御する通信部２９が接続されている。なお、図２には図示されていないが、通信部２９は、ネットワーク１２とは異なる形態のネットワーク（例えば、後述する図２９のネットワーク３０４等）とも接続可能である。
【００２４】
入出力インタフェース２５にはまた、必要に応じてドライブ３０が接続され、磁気ディスク、光ディスク、光磁気ディスク、或いは半導体メモリなどのリムーバブル記録媒体３１が適宜装着され、それらから読み出されたコンピュータプログラムが、必要に応じて記憶部２８にインストールされる。
【００２５】
なお、主制御部１１のハードウエアの構成は、図２の例に限定されず、後述する図４の機能的構成を少なくとも有していれば、任意のハードウエア構成でよい。
【００２６】
次に、図３を参照して、コンテンツ記録部１３のハードウエア構成例について説明する。
【００２７】
図３のコンテンツ記録部１３において、CPU４１は、ROM４２に記憶されているプログラムに従って各種の処理を実行する。或いは、CPU４１は、図１の主制御部１１からネットワーク１２を介して送信されてきたプログラムを、ネットワーク通信制御部４８とバス４７とを介して受信してRAM４３にロードする。そして、CPU４１は、そのプログラムに従って各種の処理を実行することもある。RAM４３にはまた、CPU４１が各種の処理を実行する上において必要なデータなども適宜記憶される。
【００２８】
CPU４１、ROM４２、およびRAM４３は、バス４４を介して相互に接続されている。このバス４４にはまた、コンテンツ取得部４５、および、HDD（Hard Disk Drive）４６が接続されている。
【００２９】
コンテンツ取得部４５は、複数の放送局から同時間帯に放送される各放送番組（コンテンツ）のそれぞれを同時に受信（取得）できるように構成される。具体的には、例えば、図３の例では、コンテンツ取得部４５は、３つの放送局のそれぞれから放送される３つの放送番組を同時に受信できるように構成されている。即ち、コンテンツ取得部４５には、３つのチューナ５１−１乃至チューナ５１−３、３つのA/D変換（Analog to Digital変換
）部５２−１乃至A/D変換部５２−３、および、３つのエンコーダ５３−１乃至エンコーダ５３−３が設けられている。
【００３０】
なお、以下、３つのチューナ５１−１乃至チューナ５１−３のそれぞれを個々に区別する必要がない場合、それらをまとめてチューナ５１と称する。同様に、３つのA/D変換部５２−１乃至A/D変換部５２−３のそれぞれを個々に区別する必要がない場合、それらをまとめてA/D変換部５２と称する。また、３つのエンコーダ５３−１乃至エンコーダ５３−３のそれぞれを個々に区別する必要がない場合、それらをまとめてエンコーダ５３と称する。
【００３１】
チューナ５１は、図示せぬアンテナに受信された地上波または衛星波のテレビジョン放送の放送電波を復調し、その結果得られる映像信号と音声信号をA/D変換部５２に供給する。
【００３２】
即ち、CPU４１により指定されたチャンネル（正確には、例えば、後述する図４の予約投入部６２により指定されたチャンネル）の放送電波、より正確には、そのチャンネルが割り当てられた放送局から放送された放送番組を構成する電波がアンテナに受信されると、チューナ５１は、それを復調して、その結果得られるアナログの映像信号と音声信号をA/D変換部５２に供給する。
【００３３】
なお、このように、放送番組は放送局から放送されるものであるが、以下、説明の簡略上、（その放送局が割り当てられている）チャンネルから放送番組が放送されるといった表現で説明していく。例えば、「Ａチャンネルから放送された放送番組」等の表現で、以下、説明していく。
【００３４】
A/D変換部５２は、チューナ５１から供給されたアナログの映像信号と音声信号に対してA/D変換を施し、その結果得られるデジタルの映像信号と音声信号をエンコーダ５３に供給する。なお、以下、A/D変換部５２から出力されるデジタル信号、即ち、所定の放送番組を構成するデジタルの映像信号と音声信号とをまとめて、コンテンツデータと称する。
【００３５】
エンコーダ５３は、A/D変換部５２から供給されるコンテンツデータを、例えばMPEG（Moving Picture Experts Group）方式でエンコード（圧縮符号化）した上で、記録制御部５４に供給する。なお、以下、エンコーダ５３から出力されるエンコード済みのコンテンツデータを、圧縮コンテンツデータと称する。
【００３６】
記録制御部５４は、エンコーダ５３−１乃至エンコーダ５３−３のそれぞれから供給される圧縮コンテンツデータのそれぞれを、ファイル形式でHDD４６に記憶させる。
【００３７】
即ち、HDD４６には、圧縮コンテンツデータを含むファイルが記憶される。なお、以下、「HDD４６に圧縮コンテンツデータが記憶される」といった動作を、「（その圧縮コンテンツデータに対応する）放送番組が録画される」と表現する。換言すると、放送番組と、その放送番組を構成するコンテンツデータや圧縮コンテンツデータとを個々に区別する必要がない場合、以下、単に放送番組と称する。
【００３８】
また、HDD４６の録画単位は必ずしも１つの放送番組とはならず、正確には、後述する１つの録画予約で特定される所定のチャンネルの放送内容となる。この放送内容には、１以上の放送番組が含まれ得る（さらに、後述するように、必ずしも放送番組の全てが含まれるとは限らず、放送番組の一部分のみが含まれることもある）。従って、HDD４６に記録される１つのファイルには、所定のチャンネルから放送された１つの放送番組が含まれることもあるし、そのチャンネルから放送された２以上の放送番組が含まれることもある。
【００３９】
なお、以下、このようなファイルをビデオカプセルと称する。即ち、ビデオカプセルには、１以上の放送番組のそれぞれの少なくとも一部分（圧縮コンテンツデータ）が含まれる。
【００４０】
さらに、HDD４６には、録画された放送番組の番組情報（メタデータ）も記憶される。
【００４１】
なお、本実施の形態では、HDD４６に記憶される番組情報は、ネットワーク１２に接続される他のサーバ（図示せず）から供給されるとする。即ち、本実施の形態においては、CPU４１が、ネットワーク１２とネットワーク通信制御部４８を介して各放送番組の番組情報を適宜取得し、HDD４６に記憶させるとする。
【００４２】
ただし、番組情報の取得方法は、本実施の形態の例に限定されず任意の方法でよい。例えば、コンテンツ取得部４５が、受信された地上波のテレビジョン放送信号の垂直ブランキング期間から番組情報を抽出したり、受信された衛星波のテレビジョン放送信号から番組情報を抽出するといった方法でもよい。
【００４３】
ところで、CPU４１はまたバス４７に接続されており、このバス４７にはまたネットワーク通信制御部４８が接続されている。ネットワーク通信制御部４８は、ネットワーク１２を介しての他のブロック（図１の例では、主制御部１１等）との通信処理を制御する。
【００４４】
なお、コンテンツ記録部１３のハードウエアの構成は、図３の例に限定されず、後述する図４の機能的構成を少なくとも有していれば、任意のハードウエア構成でよい。
【００４５】
ところで、以下においては、コンテンツ記録部１３Ａとコンテンツ記録１３Ｂとを再度区別して説明する場合もでてくる。そこで、このような場合、コンテンツ記録部１３Ａに搭載されるCPU４１乃至ネットワーク通信制御部４８のそれぞれを、CPU４１Ａ乃至ネットワーク通信制御部４８Ａのそれぞれと称する。同様に、コンテンツ記録部１３Ｂに搭載されるCPU４１乃至ネットワーク通信制御部４８のそれぞれを、CPU４１Ｂ乃至ネットワーク通信制御部４８Ｂのそれぞれと称する。
【００４６】
また、上述した例では、コンテンツ記録再生装置１に搭載されるチューナの台数は６台とされた。即ち、コンテンツ記録部１３Ａに３台のチューナ５１−１Ａ乃至５１−３Ａが搭載され、コンテンツ記録部１３Ｂに３台のチューナ５１−１Ｂ乃至５１−３Ｂが搭載されるとされた（そのように図示されている）。しかしながら、コンテンツ記録再生装置１に搭載されるチューナの台数は、上述した例に限定されず任意の台数でよい。また、チューナの搭載場所も特に限定されず、例えば、主制御部１１に任意の台数のチューナが搭載されてもよい。
【００４７】
以上、図１乃至図３を参照して、本発明が適用されるコンテンツ記録再生装置１のハードウエア構成例について説明した。
【００４８】
次に、図４を参照して、そのコンテンツ記録再生装置１の機能的構成例について説明する。即ち、図４は、コンテンツ記録再生装置１の機能的構成例を表している。
【００４９】
なお、ここでは、主制御部１１のハードウエア構成が上述した図２に示されるとおりであるので、情報呈示統合制御部６１、予約投入部６２、および、過去番組表管理部６３のそれぞれは、例えば、上述した図２のCPU２１が実行するアプリケーションソフトウエアとして構成される。勿論、主制御部１１のハードウエア構成を上述した図２とは異なる構成とすることで、情報呈示統合制御部６１、予約投入部６２、および、過去番組表管理部６３のそれぞれは、ハードウエア単体として構成することもできるし、ソフトウエアとハードウエアの組合せとして構成することもできる。
【００５０】
同様に、ここでは、コンテンツ記録部１３Ａとコンテンツ記録部１３Ｂのそれぞれのハードウエア構成が上述した図３に示されるとおりであるので、録画管理部７１Ａおよびコンテンツ/メタデータ提供部７２Ａ、並びに、録画管理部７１Ｂおよびコンテンツ/メタデータ提供部７２Ｂのそれぞれは、例えば、図３のCPU４１が実行するアプリケーションソフトウエアとして構成される。勿論、コンテンツ記録部１３Ａとコンテンツ記録部１３Ｂのそれぞれのハードウエア構成を上述した図３とは異なる構成とすることで、録画管理部７１Ａおよびコンテンツ/メタデータ提供部７２Ａ、並びに、録画管理部７１Ｂおよびコンテンツ/メタデータ提供部７２Ｂのそれぞれは、例えば、ハードウエア単体として構成することもできるし、ソフトウエアとハードウエアの組合せとして構成することもできる。
【００５１】
図４の主制御部１１において、情報呈示統合制御部６１は、予約投入部６２または過去番組表管理部６３から供給される各種情報に対して適宜必要な処理を施した上、出力部２７から出力させる制御を実行する。
【００５２】
具体的には、例えば、後述する図８乃至図１５、図２６、および図２７に示される画像（これらの画像の詳細については後述する）等のうちのいずれかに対応する画像データが、予約投入部６２または過去番組表管理部６３から情報呈示統合制御部６１に供給されてくる場合がある。このような場合、情報呈示統合制御部６１は、供給された画像データに対して適宜必要な画像処理を施し、さらに、アナログの画像信号に変換した上、出力部２７に供給する。すると、出力部２７は、情報呈示統合制御部６１から供給された画像信号に対応する画像、即ち、例えば、図８乃至図１５、図２６、および図２７に示される画像等のうちのいずれかを表示する。
【００５３】
さらに、例えば、所定のビデオカプセルが、コンテンツ記録部１３Ａまたはコンテンツ記録部１３Ｂから過去番組表管理部６３を介して情報呈示統合制御部６１に供給されてくる場合がある。このような場合、情報呈示統合制御部６１は、供給されたビデオカプセルに含まれる圧縮コンテンツデータをMPEG方式等でデコードし、その結果得られる映像信号と音声信号を出力部２７に供給する。すると、出力部２７は、供給された映像信号（動画像信号）に対応する映像（動画像）を表示するとともに、供給された音声信号に対応する音声を出力する。即ち、出力部２７は、ビデオカプセルに圧縮コンテンツデータの形態で含まれていた放送番組を再生する。
【００５４】
情報呈示統合制御部６１はまた、入力部２６から各種指令（例えば、出力部２７の出力音声のボリューム可変指令や、放送番組の再生、一時停止、停止、早送り等の指令）が入力された場合、その指令に対応する処理を実行する。
【００５５】
予約投入部６２は、入力部２６から入力された情報、即ち、ユーザから指示された内容に基づいて録画予約を設定し、コンテンツ記録部１３Ａの録画管理部７１Ａまたはコンテンツ記録部１３Ｂの録画管理部７１Ｂに通知する。
【００５６】
ここで、注目すべき点は、入力部２６から入力される情報は「曜日、チャンネル、開始時刻、および、終了時刻」であり、予約投入部６２は、これらの情報に基づいて、従来の録画予約とは異なる録画予約を設定する点である。
【００５７】
即ち、従来の録画予約の内容は、一般的に、「ユーザが所望する特定の放送番組を録画する」といった内容であった。これに対して、予約投入部６２が設定する録画予約の内容は、「ユーザが所望する時間帯（毎週、ユーザにより指定された曜日における、ユーザにより指定された開始時刻から終了時刻までの時間帯）に、ユーザが所望する所定のチャンネルから放送される放送内容を録画する」といった内容である点である。
【００５８】
なお、以下、このような予約投入部６２により設定される録画予約、即ち、「曜日、チャンネル、開始時刻、および、終了時刻」といった情報で設定される録画予約を、従来の録画予約と区別するために、流し録り予約と称する。
【００５９】
また、以下、予約投入部６２の処理のうちの、設定された録画予約（流し録り予約だけではなく、後述するような、流し録り予約から分割された録画予約も含む）の内容をコンテンツ記録部１３Ａの録画管理部７１Ａまたはコンテンツ記録部１３Ｂの録画管理部７１Ｂに通知する処理を、録画予約の投入と称する。なお、より正確には、録画予約の投入には、予約投入部６２が実行する上述した通知処理に加えて、さらに、録画管理部７１Ａと録画管理部７１Ｂとのうちの通知された方が通知された録画予約の内容を保持する処理も含む。
【００６０】
即ち、予約投入部６２は、ユーザの入力部２６の操作内容、即ち、ユーザにより設定された「曜日、チャンネル、開始時刻、および、終了時刻」といった情報に基づいて流し録り予約を設定して投入する。
【００６１】
さらに、注目すべき点は、ユーザは、このような流し録り予約の設定操作を、流し録り予約を設定するためのGUI用画像（以下、流し録り予約画像と称する）、即ち、後述する図８乃至図１４に示されるような流し録り予約画像を見ながら容易に行うことができる点である。
【００６２】
なお、流し録り予約の設定と投入の処理の詳細と流し録り予約画像の詳細とについては、図６乃至図１５を参照して後述する。
【００６３】
予約投入部６２はさらに、各放送番組の番組情報に基づいて、投入された流し録り予約を各放送番組毎の録画予約に分割して投入することもできる。
【００６４】
具体的には、例えば、いま、「火曜日の午前８時から午後１時までの時間帯にＡチャンネルから放送される放送内容を録画する」といった内容で流し録り予約が投入されているとする。また、例えば、Ａチャンネルからは、次の火曜日の午前８時から午前１１時までの時間帯に第１の放送番組が放送され、その後、午前１１時から午後１時までの間に第２の放送番組が放送されることが予定されているとする。即ち、第１の放送番組と第２の放送番組のそれぞれの番組情報には、それらの予定内容を特定できる情報が含まれているとする。
【００６５】
この場合、予約投入部６２は、次の火曜日の午前８時より前の所定のタイミングで、HDD４６ＡまたはHDD４６Ｂに記憶されている第１の放送番組と第２の放送番組のそれぞれの番組情報を、コンテンツ/メタデータ提供部７２Ａまたはコンテンツ/メタデータ提供部７２Ｂを介して自動的に取得する。そして、予約投入部６２は、それらの番組情報に基づいて、分割対象の流し録り予約を第１の放送番組の録画予約と第２の放送番組の録画予約とのそれぞれに自動的に分割して投入する。
【００６６】
なお、ここでは、自動的とは、入力部２６等外部からの入力を介在することなく、即ち、ユーザ操作を介在することなく、予約投入部６２等が自分自身の判断で所定の処理を実行することを指す。
【００６７】
また、流し録り予約の分割と投入の処理の詳細、例えば、その処理タイミングについてや、分割対象の流し録り予約の開始時刻や終了時刻が放送番組の途中であった場合の処理については、図１６乃至図２３を参照して後述する。
【００６８】
過去番組表管理部６３は、ＨＤＤ４６ＡまたはＨＤＤ４６Ｂに現在録画されている放送番組（以下、録画番組と称する）の番組情報（メタデータ）を、コンテンツ/メタデータ提供部７２Ａまたはコンテンツ/メタデータ提供部７２Ｂを介して取得する。
【００６９】
そして、過去番組表管理部６３は、取得された各種番組情報に基づいて、各録画番組（正確には、その録画番組を示す欄であって、以下、番組欄と称する）のそれぞれを、対応するチャンネル毎に放送時間の順に並べたテーブルを画像データの形態で生成し、情報呈示統合制御部６１に供給する。なお、このようなテーブルを過去番組表と称する。過去番組表の具体例については図２６を参照して後述する。
【００７０】
過去番組表の画像データが情報呈示統合制御部６１に供給されると、上述したように、情報呈示統合制御部６１は、その画像データに対応する画像、即ち、後述する図２６に示されるような過去番組表を出力部２７に表示させる。
【００７１】
ここで、注目すべき点は、次の点である。
【００７２】
即ち、従来の過去番組表は、実際に録画されているか否かに関わらず、過去に放送された全ての放送番組（番組欄）が表示されるテーブルであった。従って、従来の過去番組表では、録画されていない放送番組も含めて全ての放送番組が平等に表示されるため、表示されている全ての放送番組を再生することが不可能であった。即ち、ユーザは、従来の過去番組表を利用した場合、どの放送番組が録画されているのか、或いは、どの放送番組が録画されていないのかを判別することが困難であった。
【００７３】
これに対して、詳細については後述するが、過去番組表管理部６３により生成される過去番組表（以下、従来の過去番組表と区別する必要がある場合、本発明の過去番組表と称する）は、HDD４６ＡまたはHDD４６Ｂに記録されている録画番組のみが表示され、録画されていない放送番組は表示されない点である。従って、本発明の過去番組表では、表示されている全ての放送番組を再生することができる点である。さらに、放送番組が表示されていない領域（番組欄が存在しない領域）が長く続く場合には、その領域をスクロールする（対応する操作を行う）だけで、所望の録画番組をユーザは容易に見つけ出すことができる点である。
【００７４】
このように、ユーザは、出力部２７に表示された本発明の過去番組表を見ることで、所望の放送番組を容易に見つけ出すことができる。さらに、ユーザは、その放送番組を選択して再生させる操作を容易に行うことが可能になる。
【００７５】
なお、ユーザ操作の具体例や、本発明の過去番組表のさらなる詳細については、図２４以降の図面を参照して後述する。
【００７６】
さらに、過去番組表管理部６３は、録画番組の番組情報に基づいて本発明の過去番組表を作成しているので、本発明の過去番組表に含まれる番組欄の配置位置を所定の規則で変更させるだけで、他の番組表を容易に生成することもできる。即ち、過去番組表管理部６３は、録画番組の番組情報を利用することで、録画番組の番組欄の配置レイアウトを変えた様々な番組表を容易に作成することができる。
【００７７】
例えば、過去番組表管理部６３は、各録画番組のそれぞれの番組情報に基づいて、各録画番組のそれぞれを、予め設定されたキーワード別に分類することができる。例えば、過去番組表管理部６３は、後述する図２７に示されるような、「ニュース」、「天気」、「音楽」、「体育」、「情報」等に分類することができる。そして、過去番組表管理部６３は、各キーワード毎に、対応するキーワードに分類された各録画番組（番組欄）を放送時間の順に並べたテーブルを画像データの形態で生成し、情報呈示統合制御部６１に供給することもできる。なお、このようなテーブルを、過去番組表と区別するために、以下、キーワード別番組表と称する。キーワード別番組表の具体例については、図２７を参照して後述する。
【００７８】
キーワード別番組表の画像データが情報呈示統合制御部６１に供給されると、上述したように、情報呈示統合制御部６１は、その画像データに対応する画像、即ち、後述する図２７に示されるようなキーワード別番組表を出力部２７に表示させる。
【００７９】
このとき、ユーザは、キーワード別番組表を利用して、上述した過去番組表を利用する操作と全く同様の操作を行うことができる。即ち、ユーザは、出力部２７に表示されたキーワード別番組表を見ることで所望の放送番組を見つけ出し、その放送番組を選択して再生させる操作を容易に行うことができる。
【００８０】
なお、ユーザ操作の具体例や、キーワード別番組表のさらなる詳細については、図２４以降の図面を参照して後述する。
【００８１】
以上のようなユーザ操作の結果、例えば、所定の録画番組の再生指令が入力部２６から過去番組表管理部６３に供給されてくる。そこで、過去番組表管理部６３は、その再生指令で指定されている録画番組（それを含むビデオカプセル）を、コンテンツ/メタデータ提供部７２Ａまたはコンテンツ/メタデータ提供部７２Ｂを介して、ＨＤＤ４６ＡまたはＨＤＤ４６Ｂから取得し、情報呈示統合制御部６１に供給する。
【００８２】
すると、上述したように、情報呈示統合制御部６１は、ビデオカプセルに含まれる録画番組（圧縮コンテンツデータ）をMPEG方式等でデコードし、その結果得られる映像信号と音声信号を出力部２７に供給する。出力部２７は、供給された映像信号に対応する映像（動画像）を表示するとともに、供給された音声信号に対応する音声を出力する。即ち、出力部２７は、ユーザが選択した録画番組を再生する。
【００８３】
以上、主制御部１１の機能的構成例について説明した。次に、コンテンツ記録部１３Ａとコンテンツ記録部１３Ｂの機能的構成例について説明する。なお、コンテンツ記録部１３Ａとコンテンツ記録部１３Ｂの機能的構成例は、図４に示されるように基本的に同様とされている。即ち、機能的構成例の説明については、コンテンツ記録部１３Ａとコンテンツ記録部１３Ｂとを個々に区別する必要がないので、まとめてコンテンツ記録部１３の機能的構成例として説明していく。この場合、図４中各ブロックの符号とし付されている「Ａ」または「Ｂ」は省略して説明する。
【００８４】
録画管理部７１は、上述したように、録画予約の投入（そのうちの一部の処理）を実行する。即ち、録画管理部７１は、予約投入部６２から通知された録画予約の内容を保持する。なお、上述したように、予約投入部６２から通知される（投入される）録画予約には、流し録り予約の他、それが分割された録画予約等も含まれる。
【００８５】
さらに、録画管理部７１は、投入された（保持された）録画予約の内容に従って、HDD４６への録画の制御を実行する。即ち、録画管理部７１は、投入された録画予約で指定された時間帯（その録画予約の内容に含まれる、開始時刻、および、終了時刻、並びに、必要に応じて曜日から特定される時間帯）に、その録画予約で指定されたチャンネルから放送される放送内容をコンテンツ取得部４５に取得させ、その結果得られるビデオカプセルをHDD４６に記憶させる制御を実行する。
【００８６】
これにより、その録画予約で指定された時間帯にその録画予約で指定されたチャンネルから放送された放送内容（上述したように、１つの放送番組の場合もあるし、複数の放送番組の場合もある）を含むビデオカプセルが、HDD４６に録画（記録）される。
【００８７】
コンテンツ/メタデータ提供部７２は、上述したように、予約投入部６２または過去番組表管理部６３から指示された放送番組の番組情報（メタデータ）をHDD４６から取得し、予約投入部６２に供給する。
【００８８】
また、コンテンツ/メタデータ提供部７２は、上述したように、過去番組表管理部６３から指示された録画番組（圧縮コンテンツデータ）を含むビデオカプセルをHDD４６から取得し、過去番組表管理部６３に供給する。
【００８９】
以上、コンテンツ記録再生装置１の機能的構成例を説明した。
【００９０】
かかる機能的構成を有するコンテンツ記録再生装置１は、「毎週、ユーザにより指定された曜日における所定の時間帯にユーザにより指定されたチャンネルから放送される放送内容を録画する」といった内容の流し録り予約を設定して投入することができる。
【００９１】
また、ユーザにとっては、このような内容の流し録り予約の設定操作を、後述する図８乃至図１４に示されるような流し録り予約画像を見ながら容易に行うことができる。
【００９２】
さらに、コンテンツ記録再生装置１は、各放送番組の番組情報に基づいて、投入された流し録り予約を各放送番組毎の録画予約に分割して投入することもできる。
【００９３】
なお、録画前に行われる流し録り予約の分割処理を行うブロックは、上述した例では予約投入部６２とされたが、上述した例に限定されず、例えば、コンテンツ記録部１３Ａ，１３Ｂの内部に設けられる図示せぬブロック等とされてもよい。即ち、予約投入部６２は、流し録り予約の投入を行い、コンテンツ記録部１３Ａ，１３Ｂのそれぞれは、コンテンツ/メタデータ提供部７２Ａ,７２Ｂのそれぞれから必要な情報を受け取り、流し録り予約の分割を行い番組毎の予約に分けて予約の投入を行ってもよい。
【００９４】
また、録画前に行われる流し録り予約の分割処理は、コンテンツ記録再生装置１にとって必須の処理ではない。即ち、コンテンツ記録再生装置１は、流し録り予約の分割処理の代わりとして、流し録り予約の内容に従って一旦録画し、その後、各番組情報に基づいて、その録画内容（圧縮コンテンツデータ）から各放送番組（圧縮コンテンツデータ）のそれぞれに分割する処理（以下、録画後分割処理と称する）を行ってもよい。即ち、このような録画後分割処理と、流し録り予約の分割処理とは、処理結果（HDD４６に録画される各ビデオカプセルの内容）から見た場合等価な処理と言える。
【００９５】
以下、この録画後分割処理についてされに詳しく説明する。即ち、コンテンツ記録再生装置１は、例えば、所定のビデオカプセルと、それに含まれているはずの放送番組の番組情報とを、HDD４６ＡまたはHDD４６Ｂから取得する。そして、コンテンツ記録再生装置１は、例えば、取得されたビデオカプセルに含まれる圧縮コンテンツデータをデコードし、その結果得られるコンテンツデータを、取得された番組情報に基づいて各放送番組毎のコンテンツデータに分割する。さらに、コンテンツ記録再生装置１は、分割された各放送番組毎のコンテンツデータのそれぞれを再度エンコードし、その結果得られる各放送番組毎の圧縮コンテンツデータのそれぞれを新たなビデオカプセルに含めてHDD４６ＡまたはHDD
４６Ｂに記録させる。
【００９６】
即ち、元のビデオカプセルにＮ（Ｎは任意の整数値）個の放送番組が含まれていた場合、コンテンツ記録再生装置１が上述した録画後分割処理を実行することで、元のビデオカプセルは、Ｎ個の放送番組のそれぞれを１つずつ含むＮ個の新たなビデオカプセルに分割されてHDD４６ＡまたはHDD４６Ｂに記録されることになる。
【００９７】
なお、以上の録画後分割処理を実行するブロックは、主制御部１１であっても構わないし、コンテンツ記録部１３であっても構わない。なお、後者の場合、より正確には、録画管理部７１、または図示せぬブロックとなる。
【００９８】
以上の内容を換言すると、コンテンツ記録再生装置１は、結局、流し録り予約の内容で特定される放送内容を所定のチューナに受信させ、受信された放送内容から１以上の放送番組のそれぞれを分割してデータ化して異なるビデオカプセルに含め、１以上のビデオカプセルのそれぞれを図３のHDD４６等の所定の記録媒体に記録させる記録制御を行う機能を有していればよい。さらに言えば、最終的に、流し録り予約の内容で特定される放送内容に含まれる各放送番組のそれぞれが分割されて異なるビデオカプセルに含まれればよく、分割のタイミング自体は、放送内容の録画前でも後でもよい。即ち、放送内容の録画前に各放送番組のそれぞれに分割される処理が、上述した流し録り予約分割処理である。一方、放送内容の録画後に各放送番組のそれぞれに分割される処理が、上述した録画後分割処理である。
【００９９】
流し録り予約分割処理と録画後分割処理のいずれが実行されるとしても、ユーザにとっては、上述した流し録り予約の設定操作といった簡単な操作を単に行うだけで、複数の放送番組のそれぞれが分割されて異なるビデオカプセルに収納されるのである。即ち、ユーザにとっては、複数の放送番組の録画予約の設定操作を繰り返し行うといった従来のような煩雑な操作は必要なく、流し録り予約の設定操作を単に行うだけで、結果として、複数の放送番組の録画予約の設定操作を行うことができる（それと等価な操作を行ったことになる）。
【０１００】
さらに、図４のような機能的構成を有するコンテンツ記録再生装置１は、HDD４６ＡまたはHDD４６Ｂに録画された録画番組を、過去番組表またはキーワード別番組表といった形態で呈示することができる。これにより、HDD４６ＡまたはHDD４６Ｂに録画された録画番組の中から所望の放送番組をユーザに簡単に視認させることができる。
【０１０１】
以上、図１乃至図４を参照して、コンテンツ記録再生装置１の構成例について説明した。
【０１０２】
次に、図５のフローチャートを参照して、コンテンツ記録再生装置１の主制御部１１が実行する処理のうちの、コンテンツ（放送番組）の録画と再生の制御処理（以下、録画再生制御処理と称する）について説明する。
【０１０３】
なお、後述するように、主制御部１１は、録画予約に基づく録画の制御の他、入力部２６からの直接の録画指令に基づく録画の制御も当然ながら実行できる。ただし、図５のフローチャートでは、録画予約に基づく録画の制御に対応する処理のみが図示されている。
【０１０４】
図５のステップＳ１において、主制御部１１は、流し録り予約の投入が指示されたか否かを判定する。
【０１０５】
流し録り予約の投入の指示が入力部２６から入力された場合、主制御部１１は、ステップＳ１において、流し録り予約の投入が指示されたと判定する。そして、ステップＳ２において、主制御部１１は、流し録り予約を設定して投入する処理（以下、流し録り予約投入処理と称する）を開始させる。この「流し録り予約投入処理」の詳細については、図６と図７のフローチャートを参照して後述する。
【０１０６】
その後、処理はステップＳ７に進められる。ステップＳ７において、主制御部１１は、処理の終了が指示されたか否かを判定する。ステップＳ７において、処理の終了が指示されたと判定された場合、「録画再生制御処理」は終了となる。これに対して、ステップＳ７において、処理の終了がまだ指示されていないと判定された場合、処理はステップＳ１に戻され、それ以降の処理が繰り返される。
【０１０７】
ところで、流し録り予約の投入の指示とは異なる他の情報が入力部２６から入力された場合、或いは、何の情報も入力部２６から入力されない場合、主制御部１１は、ステップＳ１において、流し録り予約の投入が指示されていないと判定し、ステップＳ３において、分割予約投入予定時刻となったか否かを判定する。
【０１０８】
分割予約投入予定時刻とは、次の流し録り予約を分割して投入する処理（以下、分割予約投入処理と称する）の実行タイミングを示す時刻であって、次の流し録り予約の開始時刻よりも前の所定の時刻を指す。例えば、本実施の形態においては、分割予約投入予定時刻は、次の流し録り予約の開始時刻の１時間前の時刻とされている。具体的には、例えば、現在の時刻が午前６時であるとすると、後述する図１８の例では、Ａチャンネルの午前８時から午前１１時までの時間帯の録画予約（同図中、灰色の部分で示される録画予約のうちの、一番左方の録画予約）が次の流し録り予約となる。従って、その開始時刻である午前８時の１時間前である午前７時が、分割予約投入予定時刻となる。
【０１０９】
従って、主制御部１１は、現在の時刻を常時監視し、現在の時刻が分割予約投入予定時刻になると、ステップＳ３において、分割予約投入予定時刻となったと判定する。そして、ステップＳ４において、主制御部１１は「分割予約投入処理」を開始させる。その後、処理はステップＳ７に進められ、それ以降の処理が実行される。
【０１１０】
なお、この「分割予約投入処理」の詳細については、図１６と図１７のフローチャートを参照して後述する。
【０１１１】
これに対して、現在の時刻が分割予約投入予定時刻の前である場合には、主制御部１１は、ステップＳ３において、分割予約投入予定時刻になっていないと判定し、ステップＳ５において、過去番組表の呈示が指示されたか否かを判定する。
【０１１２】
過去番組表（或いは、キーワード別番組表）の呈示の指示が入力部２６から入力された場合、主制御部１１は、ステップＳ５において、過去番組表の呈示が指示されたと判定する。そして、ステップＳ６において、主制御部１１は、過去番組表またはキーワード別番組表をユーザに呈示し、その呈示内容を見たユーザからの再生指示（それに対応する入力部２６からの指令）で指定される録画番組の再生を制御する処理（以下、過去番組表呈示/再生制御処理と称する）を開始させる。その後、処理はステップＳ７に進められ、それ以降の処理が実行される。
【０１１３】
なお、この「過去番組表呈示/再生制御処理」の詳細については、図２４と図２５のフローチャートを参照して後述する。
【０１１４】
ところで、ステップＳ５において、過去番組表の呈示が指示されていないと判定された場合、処理はステップＳ７に進められ、それ以降の処理が実行される。即ち、流し録り予約の投入が指示されず、現在時刻が分割予約投入予定時刻の前であり、かつ、過去番組表の呈示も指示されていない場合には、ステップＳ１乃至Ｓ７のループ処理が繰り返し実行されることになる。
【０１１５】
このように、主制御部１１は、「録画再生制御処理」を実行することで、「流し録り予約投入処理」、「分割予約投入処理」、および、「過去番組表呈示/再生制御処理」のそれぞれの開始タイミングを制御している。
【０１１６】
換言すると、「流し録り予約投入処理」、「分割予約投入処理」、および、「過去番組表呈示/再生制御処理」のそれぞれは、開始タイミングについては「録画再生制御処理」により管理されているが、それ以外については特に管理されていない。即ち、「流し録り予約投入処理」、「分割予約投入処理」、および、「過去番組表呈示/再生制御処理」のそれぞれは相互に独立した処理とされている。
【０１１７】
以下、図面を参照して、これらの「流し録り予約投入処理」、「分割予約投入処理」、および、「過去番組表呈示/再生制御処理」のそれぞれの詳細例について、その順番に個別に説明していく。
【０１１８】
はじめに、図６と図７のフローチャートを参照して、「流し録り予約投入処理」の詳細例について説明する。
【０１１９】
図６のステップＳ２１において、図４の予約投入部６２は、ペアリングの設定が行われているか否かを判定する。
【０１２０】
ペアリングとは、所定のチューナと所定のチャンネルとを結びつけることを指す。即ち、ペアリングとは、所定のチューナの担当チャンネル（そのチャンネルが録画予約を受け付けるチャンネル）を限定（設定）することを指す。また、所定のチューナについてペアリングの設定が行われ、その結果として、他のチャンネルの録画予約をそのチューナが受け付けない場合、そのペアリングは強いペアリングであると称する。一方、所定のチューナについてペアリングの設定が行われた後でも、他のチャンネルの録画予約の受付がそのチューナにとって可能な場合、そのペアリングは弱いペアリングであると称する。また、弱いペアリングが行われる場合に各チューナにとって主担当となるチャンネルを、以下、優先チャンネルと称する。
【０１２１】
例えば、上述したように、本実施の形態では、コンテンツ記録再生装置１には６台のチューナが搭載されている。即ち、図３に示されるように、コンテンツ記録部１３Ａには３台のチューナ５１−１Ａ乃至チューナ５１−３Ａが搭載され、かつ、コンテンツ記録部１３Ｂには３台のチューナ５１−１Ｂ乃至チューナ５１−３Ｂが搭載されている。
【０１２２】
従って、本実施の形態の場合、ステップＳ２１の処理では、結局、チューナ５１−１Ａ乃至チューナ５１−３Ａ、および、チューナ５１−１Ｂ乃至チューナ５１−３Ｂのそれぞれの担当チャンネル（弱いペアリングが行われる場合には、優先チャンネル）が設定されているか否かが判定されることになる。
【０１２３】
予約投入部６２は、ステップＳ２１において、ペアリングの設定が行われていないと判定すると、ステップＳ２２において、ペアリングの初期設定を行う。例えば、本実施の形態では、ステップＳ２２の処理で、チューナ５１−１Ａ乃至５１−３Ａ、および、チューナ５１−１Ｂ乃至５１−３Ｂのそれぞれの担当チャンネル（弱いペアリングが行われる場合には、優先チャンネル）が初期設定されることになる。その後、処理はステップＳ２３に進められる。
【０１２４】
これに対して、ステップＳ２１において、ペアリングの設定が既に行われていると判定された場合、ステップＳ２２の処理は実行されずに、処理はステップＳ２３に進められる。
【０１２５】
ステップＳ２３において、予約投入部６２は、流し録り予約を設定するためのGUI用画像（以下、流し録り予約画像と称する）を画像データの形態で生成し、情報呈示統合制御部６１に供給する。すると、ステップＳ２４において、情報呈示統合制御部６１は、流し録り予約画像を出力部２７に表示させる。
【０１２６】
具体的には、例えば、ステップＳ２４の処理で、図８に示されるような流し録り予約画像が表示される。即ち、図８は、強いペアリングが行われる場合に利用される流し録り予約画像の一例を示している。
【０１２７】
図８の流し録り予約画像において、一番上のプルダウンメニュー６１は、複数のコンテンツ記録部１３の中から設定対象を選択するメニューである。即ち、本実施の形態では、プルダウンメニュー６１は、図１のコンテンツ記録部１３Ａとコンテンツ記録部１３Ｂとのうちのいずれか一方を選択するメニューとなる。例えば、図８の例では、コンテンツ記録部１３Ａが設定対象として選択されている。
【０１２８】
なお、プルダウンメニュー６１内の表示は、図８の例では「コンテンツ記録部１３Ａ」とされているが、実際には設定対象の名称（例えば、おど録１２３４等）となる。これにより、現在の設定対象（ユーザの選択対象）をユーザに明確に意識させることが可能になる。
【０１２９】
また、起動時においては、即ち、図６の「流し録り予約投入処理」が開始された直後の最初のステップＳ２４の処理においては、各コンテンツ記録部１３のうちの所定の一つが表示される。
【０１３０】
プルダウンメニュー６１の下方には、担当チャンネル選択用のメニューとして、３つのプルダウンメニュー６２−１乃至プルダウンメニュー６２−３が設けられている。これらのプルダウンメニュー６２−１乃至プルダウンメニュー６２−３のそれぞれに対して、現在の設定対象（プルダウンメニュー６１に現在表示されているコンテンツ記録部１３）に搭載されている図３のチューナ５１−１乃チューナ５１−３のそれぞれが対応付けられる。従って、プルダウンメニュー６２−１乃至プルダウンメニュー６２−３のそれぞれは、チューナ５１−１乃至チューナ５１−３のそれぞれの担当チャンネルを選択するメニューとなる。
【０１３１】
図８の例では、プルダウンメニュー６２−１乃至プルダウンメニュー６２−３のそれぞれの表示内容から、チューナ５１−１乃至チューナ５１−３のそれぞれの担当チャンネルとして、Ａチャンネル、Ｂチャンネル、および、Ｃチャンネルのそれぞれが設定されていることがわかる。
【０１３２】
なお、起動時においては、即ち、図６の「流し録り予約投入処理」が開始された直後の最初のステップＳ２４の処理においては、プルダウンメニュー６２−１乃至プルダウンメニュー６２−３のそれぞれには、その時点で設定されているペアリングの内容（担当チャンネルのチャンネル名）が表示される。
【０１３３】
プルダウンメニュー６２−１の下方には、プルダウンメニュー６２−１に表示されたチャンネル、即ち、チューナ５１−１の担当チャンネル（図８の例では、Ａチャンネル）についての流し録り予約の投入状況を示すテーブル（以下、このようなテーブルをタイムテーブルと称する）が表示される。
【０１３４】
図８に示されるように、このタイムテーブルは、例えば、横方向の項目（以下、横軸と称する）に曜日（月＝Ｍ、火＝Ｔ、水＝Ｗ、木＝Ｔ、金＝Ｆ、土＝Ｓ、日＝Ｓ）が割り当てられ、縦方向の項目（以下、縦軸と称する）に時間（２４時間のうちの、図８の例では、午前４時（＝４）乃至次の午前４時（＝４））が割り当てられて構成される。
【０１３５】
また、このタイムテーブルを構成する全領域のうちの、色（図８の例では灰色）が塗られた領域６４は、投入済みの流し録り予約を示している。即ち、Ａチャンネルについての投入済みの時間帯（曜日含む）を示すために、その時間帯に対応する領域６４が、他の領域（曜日と時間で特定される各マス）とは異なる表示形態で表示される。即ち、例えば、図８の例では、他の領域は白色表示とされているのに対して、領域６４は灰色表示とされている。
【０１３６】
これにより、ユーザは、この灰色の領域６４を見ることで、いま現在「毎週、月乃至土曜日のそれぞれの午後６時から午前１２時までの時間帯にＡチャンネルから放送される放送内容（放送番組）を録画する」といった内容の流し録り予約が投入済みであることを容易に認識することができる。
【０１３７】
同様に、プルダウンメニュー６２−２の下方には、プルダウンメニュー６２−２に表示されたチャンネル、即ち、チューナ５１−２の担当チャンネル（図８の例では、Ｂチャンネル）についての流し録り予約の投入状況を示すタイムテーブルが表示される。
【０１３８】
このタイムテーブルを構成する全領域のうちの、色（図８の例では灰色）が塗られた領域６５と領域６６も、投入済みの流し録り予約を示している。これにより、ユーザは、灰色の領域６５を見ることで、いま現在「毎週、月乃至金曜日のそれぞれの午前６時から午前７時までの時間帯にＢチャンネルから放送される放送内容（放送番組）を録画する」といった内容の流し録り予約が投入済みであることを容易に認識することができる。さらに、ユーザは、灰色の領域６６を見ることで、いま現在「毎週月曜日の午後１２時から午後４時までの時間帯にＢチャンネルから放送される放送内容（放送番組）を録画する」といった内容の流し録り予約が投入済みであることを容易に認識することができる。
【０１３９】
同様に、プルダウンメニュー６２−３の下方には、プルダウンメニュー６２−３に表示されたチャンネル、即ち、チューナ５１−３の担当チャンネル（図８の例では、Ｃチャンネル）についての流し録り予約の投入状況を示すタイムテーブルが表示される。
【０１４０】
このタイムテーブルを構成する全領域のうちの、色（図８の例では灰色）が塗られた領域６７乃至領域６９も、投入済みの流し録り予約を示している。これにより、ユーザは、この灰色の領域６７乃至領域６９を見ることで、いま現在「毎週、月乃至金曜日のそれぞれの午前８時から午前１０時までの時間帯にＣチャンネルから放送される放送内容（放送番組）を録画する」といった内容の流し録り予約、「毎週日曜日の午前１０時から午後２時までの時間帯にＣチャンネルから放送される放送内容（放送番組）を録画する」といた内容の流し録り予約、および、「毎週、月乃至土曜日のそれぞれの午後６時から午前１２時までの時間帯にＣチャンネルから放送される放送内容（放送番組）を録画する」といった内容の流し録り予約のそれぞれが投入済みであることを容易に認識することができる。
【０１４１】
これらの３つのタイムテーブルの下方の領域７０には、新規の流し録り予約（以下、新規予約と称する）の設定操作（チャンネル、曜日、および、時間帯等の設定）を行ったり、投入済みの流し録り予約の内容（チャンネル、曜日、および、時間帯等）を更新する操作を行うための、入力ボックスやプルダウンメニューが配置される。
【０１４２】
この領域７０の下方には、４つのソフトボタン７１乃至ソフトボタン７４が設けられている。
【０１４３】
なお、以下、ソフトボタン７１乃至ソフトボタン７４のそれぞれを、それらの中に記述された文字を使用して、新規ボタン７１、適用ボタン７２、消去ボタン７３、および、ヘルプボタン７４のそれぞれと称する。以下、その他のソフトボタンの呼称も同様とされる。
【０１４４】
また、図８以降の図面において、点線で示されるソフトボタン（図８の例では、適用ボタン７２と消去ボタン７３）は、現時点で押下操作不可能であることを表している。
【０１４５】
領域７０、および、新規ボタン７１乃至ヘルプボタン７４のその他詳細については後述する。
【０１４６】
図６に戻り、ステップＳ２４の処理で、以上説明したような流し録り予約画像が表示されると、ステップＳ２５において、予約投入部６２は、新規予約の指示（チャンネル、曜日、および時間帯の設定）がなされたか否かを判定する。新規予約の指示の方法（操作方法）の具体例については、図９乃至図１２を参照して後述する。
【０１４７】
ステップＳ２５において、新規予約の指示がなされていないと判定された場合、処理は図７のステップＳ２９に進む。なお、ステップＳ２９以降の処理については後述する。
【０１４８】
これに対して、ステップＳ２５において、新規予約の指示がなされたと判定した場合、予約投入部６２は、ステップＳ２６において、指示内容に問題はあるか否かを判定する。
【０１４９】
即ち、予約投入部６２は、指示内容（チャンネル、曜日、および、時間帯の設定情報）の整合性や入力不足をチェックして、それらのチェック結果のうちの一つでも異常がある場合、ステップＳ２６において、指示内容に問題があると判定する。そして、予約投入部６２は、ステップＳ２８において、所定のエラー出力を、情報呈示統合制御部６１を介して出力部２７から行う。その後、処理はステップＳ２３に戻され、それ以降の処理が繰り返される。
【０１５０】
また、予約投入部６２は、新規予約が、投入済みの他の録画予約と重なっていないのかをチェックして、その結果、新規予約の少なくとも一部と、投入済みの他の録画予約の少なくとも一部とが重なってしまっている場合、ステップＳ２６において、指示内容に問題があると判定し、ステップＳ２８において、所定のエラー出力を行う。その後、処理はステップＳ２３に戻され、それ以降の処理が繰り返される。
【０１５１】
これに対して、上述した全てのチェックの結果が正常である場合、予約投入部６２は、ステップＳ２６において、指示内容に問題はないと判定し、ステップＳ２７において、指示された新規予約を投入する。即ち、予約投入部６２は、設定された曜日の設定された時間帯における、設定されたチャンネルの放送内容の流し録り予約を投入する。
【０１５２】
その後、処理はステップＳ２３に戻され、それ以降の処理が繰り返される。即ち、いまの場合、新規予約を示す灰色の領域が対応するタイムテーブルに追加され、そのタイムテーブルを含む流し録り予約画像が生成され（更新され）、出力部２７から表示される。
【０１５３】
ここで、図８乃至図１３を参照して、新規予約の指示方法（操作方法）の具体例について説明するとともに、その操作に対応する図６の処理、即ち、ステップＳ２５（ＹＥＳ）、Ｓ２６（ＮＯ）、Ｓ２７、Ｓ２３、および、Ｓ２４の順で実行される一連の処理の具体例について説明する。
【０１５４】
なお、図８の流し録り予約画像に対する操作については、説明の簡略上、図４の入力部２６のうちのマウスが利用されるとして説明する。勿論、ユーザは、入力部２６のうちのリモートコントローラ等他の入力機器を利用しても、以下に説明する操作と全く同様の操作（或いは、類似の操作）で、新規予約の指示を行うことが可能である。
【０１５５】
例えば、いま、図８の流し録り予約画像が出力部２７に表示されている状態で、ユーザが、マウスのマウスポインタ（図示せず）を新規ボタン７１に配置させ、クリック操作を行たったとする。即ち、新規ボタン７１が押下されたとする。この場合、領域７０において、“チャンネル”の表示の右方のボックス内には現在選択されているチャンネルの名称が表示される一方、その他のボックスやプルダウンメニュー内は空欄となる。
【０１５６】
なお、チャンネルの選択方法は特に限定されないが、ここでは、例えば、次の方法が採用されているとする。即ち、ユーザがマウスポインタを動かして、所望のチャンネルに対応するタイムテーブル、即ち、プルダウンメニュー６２−１乃至プルダウンメニュー６２−３のうちの所望のチャンネルが表示されているプルダウンメニューの下方のタイムテーブルの任意の位置に配置させ、クリック操作を行うといった方法である。
【０１５７】
具体的には、例えば、いま、図示はしないが、マウスポインタが、プルダウンメニュー６２−１の下方のタイムテーブル内に配置されて、クリック操作がなされたとすると、Ａチャンネルが選択されたとみなされる。この場合、領域７０の表示は、図９に示されるようになる。
【０１５８】
なお、新規ボタン７１が押下されてから、図９の画像を含む流し録り予約画像が表示されるまでの処理は、後述するように、図７のステップＳ３５（ＹＥＳ）、Ｓ３６、図６のＳ２３、および、Ｓ２４の順で実行される一連の処理に相当する。
【０１５９】
図９の画像を含む流し録り予約画像が表示されている状態で、ユーザは、領域７０のうちの、“予約時間”の表示の右方のプルダウンメニューを利用することで、即ち、マウスで対応する操作を行うことで、新規予約のうちの「時間帯（開始時刻と終了時刻）」を設定することができる。また、ユーザは、それらのプルダウンメニューの下方の、“月”乃至“日”のそれぞれの表示の左方のボックスを利用することで、即ち、マウスで対応する操作を行うことで、新規予約のうちの「曜日」を設定することができる。また、ユーザは、それらのボックスの下方の、“録画モード”の表示の右方のプルダウンメニューを利用することで、即ち、マウスで対応する操作を行うことで、新規予約のうちの「録画モード」を設定することができる。録画モードとは、ここでは、例えば、いわゆる標準モードや長時間モードといった、画質や音質を設定するためのモードを指す。
【０１６０】
また、ユーザは、上述したように、マウスポインタを、所望のチャンネルに対応するタイムテーブル内に移動させた後、クリック操作を行うことで、新規予約のうちの「チャンネル」を設定（更新）することができる。
【０１６１】
具体的には、例えば、いま、ユーザが、「毎週、月乃至金曜日のそれぞれの午前６時から午前１１時までの時間帯にＡチャンネルから放送される放送内容（放送番組）を録画する」といった内容で、新規予約を設定（投入）したいと所望したとする。この場合、ユーザは、マウスを操作して、領域７０の各ボックスやプルダウンメニューに必要な情報を入力する。これらの情報の入力が完了すると、例えば、領域７０の表示は、図１０に示されるようになる。
【０１６２】
なお、領域７０のうちの“ビデオカプセル名”の表示の右方のボックスには、新規予約の内容が自動的に（予約投入部６２により製作されて）表示される。この表示内容が、新規予約の内容に従って録画されるべきビデオカプセルの名称となる。勿論、ユーザは、このボックスの入力内容、即ち、ビデオカプセルの名称を変更することも可能である。
【０１６３】
その後、適用ボタン７２が押下されると、予約投入部６２は、図６のステップＳ２５の処理で、新規予約の指示がなされたと判定し、領域７０の表示内容を正式な設定情報として認識する。
【０１６４】
その後、予約投入部６２は、認識された設定情報の内容に問題ないと判定した場合、即ち、図６のステップＳ２６の処理で、指示内容に問題はないと判定した場合、ステップＳ２７の処理で、指示された新規予約を投入する。そして、予約投入部６２は、ステップＳ２３の処理で、その新規予約を示す灰色が新たに加えられた流し録り予約画像（データ）を生成し、即ち、流し録り予約画像を図１１に示されるように更新する。
【０１６５】
図１１に示されるような流し録り予約画像は情報呈示統合制御部６１に供給されると、図６のステップＳ２４の処理で出力部２７に表示される。
【０１６６】
図１１の流し録り予約画像によると、プルダウンメニュー６２−１の下方のタイムテーブルには、新規予約の内容を示す新たな灰色の領域８１が追加されていることがわかる。従って、ユーザは、この新たな灰色の領域８１を見ることで、新規予約の内容を容易に視認することができる。即ち、ユーザは、「毎週、月乃至金曜日のそれぞれの午前６時から午前１０時までの時間帯に、Ａチャンネルから放送される放送内容（放送番組）を録画する」といった内容の流し録り予約が投入されたこと（設定済みになったこと）を容易に認識することができる。
【０１６７】
以上、図９乃至図１１を参照して、新規予約の指示方法（操作方法）の一例として、「新規ボタン７１を押下した後に、領域７０における個々の項目を入力して適用ボタン７２を押下する」といった方法について説明した。
【０１６８】
ただし、新規予約の指示方法は、この例に限定されず、様々な指示方法が採用可能である。具体的には、例えば、グラフィックエディタで四角形を書くように、「タイムテーブル内でマウスのドラッグ操作を行い、図１２に示されるような枠（四角形ラバーバンド）８２を生成（表示）した後、マウスのドロップ操作を行うことで、新規予約を指示する」といった方法も採用可能である。即ち、図１２は、新規予約の指示方法の他の例を説明する図である。
【０１６９】
この場合、ドラッグの開始点８３を含む曜日（図１２の例では、月曜日）と、その開始点８３の時刻（図１２の例では、午前６時）とのそれぞれが、新規予約の「曜日」の設定（毎週何曜日に録画するのかを示す設定であり、以下、適宜毎週設定と称する）と「開始時刻」の設定とのそれぞれに反映される。また、ドラッグをしている右下の点８４を含む曜日（図１２の例では、金曜部）と、その点８４の時刻（図１２の例では、午前１２時）とのそれぞれが、毎週設定と「終了時刻」の設定とのそれぞれに反映される。
【０１７０】
なお、図示はしないが、ドラッグをしている右下の点８４が、投入済みの他の流し録り予約を示す灰色の領域にぶつかると、枠（四角形ラバーバンド）８２をそれ以上大きくすることはできない。
【０１７１】
また、ドロップ操作時点で形成されている枠（四角形ラバーバンド）８２で示される内容が、新規予約として投入されることになる。
【０１７２】
具体的には、例えば、図１２に示される状態でドロップ操作が行われたとする。この場合、「開始時刻」として、ドラッグの開始点８３で示される午前６時が設定され、「終了時刻」として、ドラッグの右下の点８４で示される午前１２時が設定され、「曜日」として（毎週設定として）、ドラッグの開始点８３を含む月曜日から、ドラッグの右下点８４を含む金曜日までが設定される。即ち、新規予約として、「枠８２で囲まれた時間帯、即ち、毎週、月乃至金曜日のそれぞれの午前６時から午前１２の時間帯に、Ａチャンネルから放送される放送内容（放送番組）を録画する」といった内容の流し録り予約が投入されることになる。その結果、図示はしないが、その投入済みの流し録り予約を示す灰色の領域が表示されることになる。即ち、枠８２に対応する領域が灰色表示されることになる。
【０１７３】
ところで、図示はしないが、本実施の形態では、例えば、投入済みの流し録り予約を示す灰色の領域（例えば、図１１の例では、領域６４乃至領域６９および領域８１）のうちのいずれかにマウスポインタが配置され、クリック操作が行われると、マウスポインタが配置された灰色の領域が示す流し録り予約の内容が、領域７０に表示されるとともに、消去ボタン７３の押下操作が可能になる。
【０１７４】
即ち、ユーザは、投入済みの流し録り予約の内容を更新したり、その流し録り予約を消去したい場合、その流し録り予約を示す灰色の領域の上にマウスポインタを配置させ、クリック操作を行えばよい。そして、ユーザは、その流し録り予約の内容を更新したい場合には、領域７０の表示内容を更新させ、その流し録り予約を消去したい場合には、消去ボタン７３を押下すればよい。
【０１７５】
このような投入済みの流し録り予約の内容の更新操作や消去操作に対応する処理が、「流し録り予約投入処理」のうちの図７のフローチャートの部分に示されている。そこで、以下、図７に戻って、「流し録り予約投入処理」のうちの図７に示される処理について説明する。
【０１７６】
上述したように、図６のステップＳ２５の処理で、新規予約の指示がなされていないと判定されると、処理は図７のステップＳ２９に進む。
【０１７７】
ステップＳ２９において、図４の予約投入部６２は、既に投入されている録画予約の変更が指示されたか否かを判定する。
【０１７８】
例えば、上述したように、投入済みの流し録り予約を示す灰色の領域（例えば、図１１の例では、領域６４乃至領域６９および領域８１）のうちのいずれかにマウスポインタが配置されて、クリック操作が行われた後、対応する流し録り予約の内容（項目）の少なくとも一部が変更された場合、ステップＳ２９において、既に投入されている録画予約の変更が指示されたと判定され、処理はステップＳ３０に進む。
【０１７９】
或いは、上述した図１２で説明したような操作がなされた場合、即ち、マウスのドラッグ操作により、四角形ラバーバンド（図１２の例では、枠８２）のサイズが灰色の領域とは異なるサイズに変更されて、ドロップ操作がなされた場合にも、ステップＳ２９において、既に投入されている録画予約の変更が指示されたと判定され、処理はステップＳ３０に進む。
【０１８０】
ステップＳ３０において、予約投入部６２は、指示内容に問題はあるか否かを判定する。
【０１８１】
即ち、予約投入部６２は、上述した図６のステップＳ２６の処理と同様のチェックを行い、それらのチェック結果のうちの一つでも異常がある場合、ステップＳ３０において、指示内容に問題があると判定し、ステップＳ３２において、所定のエラー出力を、情報呈示統合制御部６１を介して出力部２７から行う。その後、処理は図６のステップＳ２３に戻され、それ以降の処理が繰り返される。
【０１８２】
これに対して、全てのチェックの結果が正常である場合、予約投入部６２は、ステップＳ３０において、指示内容に問題はないと判定し、ステップＳ３１において、録画予約の投入内容を更新する。即ち、予約投入部６２は、ステップＳ２９の処理で指示された変更内容を、録画管理部７１Ａまたは録画管理部７１Ｂに通知する。すると、録画管理部７１Ａまたは録画管理部７１Ｂは、流し録り予約の内容を更新して保持する。
【０１８３】
その後、処理は図６のステップＳ２３に戻され、それ以降の処理が繰り返される。即ち、いまの場合、変更された流し録り予約に対応して灰色の領域のサイズが更新され、更新された灰色の領域を含む流し録り予約画像が生成され（更新され）、出力部２７から表示される。
【０１８４】
ところで、上述したステップＳ２９において、既に投入されている録画予約の変更が指示されていないと判定された場合、処理はステップＳ３３に進む。
【０１８５】
ステップＳ３３において、予約投入部６２は、既に投入されている録画予約の消去が指示されたか否かを判定する。
【０１８６】
例えば、上述したように、投入済みの流し録り予約を示す灰色の領域（例えば、図１１の例では、領域６４乃至領域６９および領域８１）のうちのいずれかにマウスポインタが配置されて、クリック操作が行われた後、消去ボタン７３が押下された場合、ステップＳ３３において、既に投入されている録画予約の消去が指示されたと判定され、処理はステップＳ３４に進む。
【０１８７】
或いは、上述した図１２で説明したような操作がなされた場合、即ち、ドロップの右下の点（図１２の例では、点８４）を開始点（図１２の例では、点８３）に一致させるドラッグ操作が行われ、その結果として、四角形ラバーバンド（図１２の例では、枠８２）が消去された後にドロップ操作が行われた場合にも、ステップＳ３３において、既に投入されている録画予約の消去が指示されたと判定され、処理はステップＳ３４に進む。
【０１８８】
ステップＳ３４において、予約投入部６２は、録画予約の投入内容を削除する。即ち、予約投入部６２は、対称となる流し録り予約の削除の指令を、録画管理部７１Ａまたは録画管理部７１Ｂに通知する。すると、録画管理部７１Ａまたは録画管理部７１Ｂは、指令された流し録り予約の内容を削除する。
【０１８９】
その後、処理は図６のステップＳ２３に戻され、それ以降の処理が繰り返される。即ち、いまの場合、消去された流し録り予約に対応する灰色の領域も削除され、その削除結果が反映された流し録り予約画像が生成され（更新され）、出力部２７から表示される。
【０１９０】
ところで、上述したステップＳ３３において、既に投入されている録画予約の消去が指示されていないと判定された場合、処理はステップＳ３５に進められる。
【０１９１】
ステップＳ３５において、予約投入部６２は、その他の設定変更が指示されたか否かを判定する。
【０１９２】
例えば、ユーザが、図１１のプルダウンメニュー６１を利用して設定対象のコンテンツ記録部１３を変更したり、プルダウンメニュー６２−１乃至プルダウンメニュー６２−３のうちのいずれかを利用してペアリングの設定（即ち、担当チャンネル）を変更すると、ステップＳ３５において、その他の設定変更が指示されたと判定され、処理はステップＳ３６に進められる。
【０１９３】
ステップＳ３６において、予約投入部６２は、指示内容に基づいて設定変更を行い、処理をステップＳ２３に戻し、それ以降の処理を繰り返す。即ち、設定変更に応じて流し録り予約画像が再生成され（更新され）、出力部２７から表示される。
【０１９４】
これに対して、ステップＳ３５において、その他の設定変更が指示されていないと判定した場合、予約投入部６２は、ステップＳ３７において、処理の終了が指示されたか否かを判定する。ステップＳ３７において、処理の終了がまだ指示されていないと判定された場合、処理は図６のステップＳ２５に戻され、それ以降の処理が繰り返される。これに対して、ステップＳ３７において、処理の終了が指示されたと判定された場合、「流し録り予約投入処理」は終了となる。
【０１９５】
以上、図６と図７のフローチャートを参照して、図８乃至図１２の流し録り予約画像を利用する「流し録り予約投入処理」について説明した。
【０１９６】
ただし、消去ボタン７３の右方のヘルプボタン７４の説明は省略した。ヘルプボタン７４は、その呼称の通り、ヘルプメニューを表示させるためのソフトボタンであるが、この例の「流し録り予約投入処理」では特に使用しないからである。
【０１９７】
ところで、「流し録り予約投入処理」で利用される流し録り予約画像は、図８乃至図１２の例に限定されず、様々な画像を使用することができる。
【０１９８】
具体的には、例えば、図８乃至図１２の例の流し録り予約投入画像は、上述したように、強いペアリングが行われることが前提とされている。即ち、図８乃至図１２の例の流し録り予約投入画像では、１つのチューナに対して１つのチャンネルしか割り当てることができない。
【０１９９】
そこで、例えば、図１３に示されるような流し録り予約投入画像を利用することで、弱いペアリングを行うことが可能になる。即ち、図１３は、弱いペアリングを行うことが可能な流し録り予約投入画像の例を示している。
【０２００】
図１３の例では、流し録り予約投入画像は、領域１０１乃至領域１０３から構成されている。
【０２０１】
領域１０１は、図１のコンテンツ記録部１３Ａとコンテンツ記録部１３Ｂのそれぞれについての流し録り予約の投入状況の概略を表示する領域である。即ち、領域１０１は、コンテンツ記録部１３Ａとコンテンツ記録部１３Ｂのそれぞれの名称とタイムテーブルの概略を表示する領域である。なお、図１３において、Ｔ１乃至Ｔ６のそれぞれは、図３のチューナ５１−１Ａ乃至５１−３Ａ、および、チューナ５１−１Ｂ乃至５１−３Ｂのそれぞれに対応している。即ち、図１３の例では、Ｔ１乃至Ｔ６のそれぞれの記述の下方には、チューナ５１−１Ａ乃至５１−３Ａ、および、チューナ５１−１Ｂ乃至５１−３Ｂのそれぞれのタイムテーブルが示されている。
【０２０２】
例えば、この領域１０１内の所望のチューナのタイムテーブルにマウスポインタが配置され、クリック操作が行われると、マウスポインタが配置されたタイムテーブルの詳細が領域１０２に表示される。
【０２０３】
この領域１０２において、“優先チャンネル”の表示の右方のプルダウンメニュー１２１は、現在対象とされているチューナの優先チャンネルを選択するメニューである。図１３の例では、対象のチューナの優先チャンネルとして、Ｂチャンネルが設定されていることがわかる。なお、起動時においては、即ち、図６の「流し録り予約投入処理」が開始された直後の最初のステップＳ２４の処理においては、プルダウンメニュー１２１には、その時点で設定されているペアリングの内容（優先チャンネルのチャンネル名）が表示される。
【０２０４】
プルダウンメニュー１２１の下方には、対象のチューナについての流し録り予約の投入状況を示すタイムテーブルの詳細が表示される。
【０２０５】
なお、図８のタイムテーブルは、対象のチャンネルについての流し録り予約の投入状況を示すと説明したのに対して、図１３のタイムテーブルは、対象のチューナについての流し録り予約の投入状況を示すと説明している。なぜならば、上述したように、図８の例の流し録り予約画像は強いペアリングが前提とされていた画像であったのに対して、図１３の流し録り予約画像は弱いペアリングが前提とされる画像であるからである。即ち、図８の例では、チューナとチャンネルとが一対一に対応していたのに対して、図１３の例では、チューナとチャンネルとが必ずしも一対一に対応しないからである。
【０２０６】
詳細には、図１３の領域１０２のタイムテーブルを構成する全領域のうちの、第１の色（図１３の例では薄い灰色）の領域１１１乃至領域１１３は、優先チャンネルでの投入済みの流し録り予約を示している。
【０２０７】
これに対して、第２の色（図１３の例では濃い灰色）の領域１１４は、優先チャンネルとは異なるチャンネルでの投入済みの流し録り予約を示している。
【０２０８】
このような弱いペアリングを実現可能とするために、即ち、複数チャンネルの流し録り予約の投入を１つのチューナで実現可能とするために、図１３の流し録り予約画像には、プルダウンメニュー１２２を含む領域１０３が設けられている。
【０２０９】
即ち、この領域１０３は、図８の領域７０に対応する領域であって、対象の流し録り予約の各内容（項目）の入力や表示を行うための領域である。ただし、領域１０３では、弱いペアリングの実現を可能とするために、優先チャンネルを含む任意のチャンネルを選択可能なプルダウンメニュー１２２が設けられている。例えば、図１３のプルダウンメニュー１２１の表示内容によると、優先チャンネルとしてＢチャンネルが選択されているが、プルダウンメニュー１２２の表示内容によると、その優先チャンネルとは異なるＣチャンネルが設定されていることがわかる。このように、プルダウンメニュー１２２では、優先チャンネルとは異なるチャンネルの選択も可能とされている。
【０２１０】
以上、弱いペアリングを行うことが可能な流し録り予約投入画像の例として、図１３に示される画像について説明した。その他、弱いペアリングを行うことが可能な流し録り予約投入画像として、例えば、図１４と図１５に示されるような画像を採用することもできる。即ち、図１４と図１５は、流し録り予約投入画像のさらに他の例を示している。
【０２１１】
図１４の流し録り予約投入画像において、ソフトボタン１５１乃至ソフトボタン１５６のそれぞれには、図１のコンテンツ記録部１３Ａに搭載された図３のチューナ５１−１Ａ乃至５１−３Ａ、および、図１のコンテンツ記録部１３Ｂに搭載された図３のチューナ５１−Ｂ乃至５１−３Ｂのそれぞれが割り当てられている。従って、ユーザは、マウスを操作して、ソフトボタン１５１乃至ソフトボタン１５６のうちの所望のチューナに対応するソフトボタンを押下することで、そのチューナを選択することができる。
【０２１２】
例えば、いま、ソフトボタン１５１が押下されたとする。この場合、図１４に示されるように、ソフトボタン１５１の色が変化するとともに、そのソフトボタン１５１の右方には、ソフトボタン１５１に割り当てられているチューナ５１−１Ａに関するタイムテーブル１５７が表示される。
【０２１３】
このタイムテーブル１５７のうちの、第１の色（図１４の例では薄い灰色）の領域１７１乃至領域１７６は、優先チャンネルでの投入済みの流し録り予約を示している。
【０２１４】
これに対して、第２の色（図１４の例では濃い灰色）の領域１８１と領域１８２は、優先チャンネルとは異なるチャンネルでの設定済みの流し録り予約を示している。
【０２１５】
なお、枠１９１については後述する。
【０２１６】
このタイムテーブル１５７の上方であって、“優先チャンネル”の表示の右方のプルダウンメニュー１５８は、図１３のプルダウンメニュー１２１と同様に、対象のチューナ（いまの場合、チューナ５１−１Ａ）の優先チャンネルを選択するメニューである。
【０２１７】
プルダウンメニュー１５８の下方であって、タイムテーブル１５７の右方には、新規予約ボタン１５９乃至予約削除ボタン１６１が設けられている。
【０２１８】
新規予約ボタン１５９は、図８の新規ボタン７１に対応するボタンである。即ち、ユーザは、新規予約の指示を行う場合、この新規予約ボタン１５９を押下する。
【０２１９】
すると、図１５に示される画像（ダイアログ）が表示される。ただし、実際には、その画像における各ボックスやプルダウンメニュー内には何も表示されない。そこで、ユーザは、新規予約の指示として、それらの各ボックスやプルダウンメニュー内に所望の各種情報を入力する。
【０２２０】
なお、この図１５の画像は、上述した図１３の領域１０３に対応する画像であるので、その詳細の説明は省略し、以下、図１３の領域１０３との差異についてのみ説明する。
【０２２１】
即ち、図１３の例では、予約時間として開始時刻と終了時刻とが設定されたが、図１５の例では、開始時刻（図中録画開始時間）と終了時刻（図中録画終了時間）とに分割されて設定される。
【０２２２】
また、図１５のＯＫボタンは、図１３の適用ボタンに対応する。即ち、このＯＫボタンが押下されると、その上方の各ボックスやプルダウンメニュー内に表示されている内容が確定され、その内容で流し録り予約が投入される。例えば、図１５の例では、「毎週月曜日の午前９時から午前１０時までの時間帯にＡチャンネルから放送される放送内容（放送番組）を録画する」といった内容の流し録り予約が投入されることになる。
【０２２３】
また、図１５のキャンセルボタンは、その上方の各ボックスやプルダウンメニュー内の入力内容（表示内容）を消去するためのボタンである。図１５のヘルプボタンは、図１３のヘルプボタン１１７に対応する。
【０２２４】
ところで、ユーザは、図１４の新規予約ボタン１５９を押下する以外に、タイムテーブル１５７内の１つのマスを選択しても、新規予約の指示を行うことができる。即ち、ユーザは、マウスポインタを所望のマスに配置させ、クリック操作を行っても、新規予約の指示を行うことができる。
【０２２５】
具体的には、例えば、いま、マス１９１が選択（クリック）されたとする。この場合も、新規予約ボタン１５９が押下された場合と同様に、図１５に示される画像（ダイアログ）が表示される。ただし、新規予約ボタン１５９が押下された場合には、上述したように、各ボックスやプルダウンメニュー内には何も表示されないのに対して、マス１９１が選択（クリック）された場合には、各ボックスやプルダウンメニュー内には、図１５に示されるようなマス１９１に対応する各種情報が表示される。
【０２２６】
さらに、ユーザは、上述した図１２で説明した操作と同様にマウスのドラッグ アンドドロップ操作を行うことで、新規予約の指示を行うこともできる。即ち、例えば、ユーザが、空いているマス（投入済みの流し録り予約を示す領域以外のマス）にマウスポインタを配置させ、そのマスの左上端を開始点としてドラッグ操作を行うと、枠（四角形ラバーバンド）が表示されてマウスの動きに１時間単位で追従する。その後、ユーザがドロップ操作を行うと、図１５に示される画像（ダイアログ）が表示される。ただし、この場合、実際には、図１５の画像の各ボックスやプルダウンメニュー内には、ドロップ操作時点の枠（四角形ラバーバンド）に対応する各種情報が表示される。
【０２２７】
図１４に戻り、確認変更ボタン１６０は、ユーザが投入済みの流し録り予約の内容を確認したり、変更する場合に押下されるボタンである。
【０２２８】
即ち、ユーザが、例えば、投入済みの流し録り予約を示す領域のうちの所定の１つ、例えば、図１４の例では、領域１７１乃至領域１７６、領域１８１、および領域１８２のうちのいずれかにマウスポインタを配置させ、クリック操作を行い（領域を選択し）、その後、確認変更ボタン１６０を押下すると、図１５の画像（ダイアログ）が表示される。ただし、実際には、このとき、図１５の画像の各ボックスやプルダウンメニュー内には、選択された領域に対応する流し録り予約の内容が表示されることになる。
【０２２９】
従って、ユーザは、図１５の画像の各ボックスやプルダウンメニュー内の表示を見ることで、投入済みの流し録り予約の内容を確認することができる。また、ユーザは、図１５の画像の各ボックスやプルダウンメニュー内の表示内容（入力内容）を変更した上で、ＯＫボタンを押下することで、投入済みの流し録り予約の内容を変更することができる。
【０２３０】
なお、ユーザは、投入済みの流し録り予約の内容を確認したり、変更したい場合、上述した操作の他、例えば、投入済みの流し録り予約を示す領域のうちの所定の１つにマウスポインタを配置させ、いわゆるダブルクリック操作を行っても、確認変更ボタン１６０が押下された場合と全く同様に、図１５の画像（ダイアログ）を表示させることもできる。
【０２３１】
予約削除ボタン１６１は、図８の消去ボタン７３に対応するボタンであって、投入済みの流し録り予約を消去する場合に押下されるボタンである。
【０２３２】
即ち、ユーザが、例えば、投入済みの流し録り予約を示す領域のうちの所定の１つにマウスポインタを配置させ、クリック操作を行い（領域を選択し）、その後、予約削除ボタン１６１を押下すると、選択された領域に対応する流し録り予約の内容が削除される。
【０２３３】
なお、ユーザは、投入済みの流し録り予約を削除する場合、次のような操作を行ってもよい。即ち、はじめに、ユーザは、上述したように、投入済みの流し録り予約を示す領域のうちの所定の１つにまうすポインタを配置させ、クリック操作を行う（領域を選択する）。これにより、上述したように、図１５の画像（ダイアログ）が表示され、その画像の各ボックスやプルダウンメニュー内には、選択された領域に対応する流し録り予約の内容が表示されることになる。従って、ユーザは、図１５の画像の各ボックスやプルダウンメニュー内の表示内容（入力内容）の全てを削除して、ＯＫボタンを押下することで、その流し録り予約を削除することができる。
【０２３４】
予約削除ボタン１６１とタイムテーブル１５７の下方の領域１６２には、現在選択されている投入済みの流し録り予約の内容が表示される。例えば、図１４の例では、この領域１６２には、領域１８２に対応する流し録り予約の内容が表示されていることがわかる。
【０２３５】
領域１６２の下方のＯＫボタン１６３乃至ヘルプボタン１６５のそれぞれは、図１５の下方のＯＫボタン乃至ヘルプボタンのそれぞれに対応するボタンである。
【０２３６】
以上、図６と図７のフローチャートを参照して、図８乃至図１２の流し録り予約画像を利用する「流し録り予約投入処理」について説明し、その後、図１３乃至図１５を参照して、この「流し録り予約投入処理」で利用可能な流し録り予約画像の他の２つの例について説明した。
【０２３７】
なお、繰り返しになるが、流し録り予約画像は、上述した例に限定されず、様々な画像を採用することが可能である。例えば、いま、所定の１つのチューナについて異なるチャンネルの流し録り予約が複数投入されているとする。この場合、上述した例では、流し録り予約のチャンネルは、そのチューナに対応するタイムテーブルを構成する領域のうちのその流し取り予約を示す領域の色（表示）で表現されていた。しかしながら、流し録り予約のチャンネルは、上述した例の表現方法に特に限定されない。例えば、流し取り予約のチャンネルは、その流し流し録り予約を示す領域上にそのチャンネルを示す文字等を表示させることで表現してもよいし、対応する領域の表示形式（点滅等）を異ならせることで表現してもよい。
【０２３８】
次に、図１６と図１７のフローチャートを参照して、「分割予約投入処理」について説明する。
【０２３９】
なお、この「分割予約投入処理」の理解を容易なものとするために、以下、図１８乃至図２３を適宜参照しながら説明していく。即ち、図１８乃至図２３は、「分割予約投入処理」の処理結果の具体例を示している。詳細には、図１８乃至図２３のそれぞれには、とある一日の６時から２１時（午後９時）までの時間帯におけるＡチャンネルの番組表（放送番組の放送予定が記述されたテーブル）が示されており、その下方には、「分割予約投入処理」のうちの所定の処理が終了した時点における、Ａチャンネルについての録画予約の投入内容を示すテーブル（以下、Ａチャンネル予約内容と称する）が示されている。
【０２４０】
例えば、図１８のＡチャンネル予約内容によると、８時から１１時までの時間帯での流し録り予約、１１時３０分から１５時までの時間帯での流し録り予約、および、２０時以降の時間帯での流し録り予約がそれぞれ投入されていることがわかる。
【０２４１】
従って、例えば、いま、分割予約投入予定時刻として、次の流し録り予約の開始時刻（以下、流し録り開始時刻とも称する）の１時間前の時刻が決められており、かつ、現在の時刻が６時であるとすると、図１８に示されるように、流し録り開始時刻が８時であるので、分割予約投入予定時刻は７時になる。
【０２４２】
この場合、上述したように、時刻が７時になるまでは、図５のステップＳ３の処理で、分割予約投入予定時刻となっていないと常に判定され、「分割予約投入処理」は実行されない。
【０２４３】
その後、時刻が７時になると、ステップＳ３の処理で分割予約投入予定時刻になったと判定され、ステップＳ４の処理で「分割予約投入処理」が開始されることになる。
【０２４４】
即ち、時刻が７時になると、例えば、図１６の「分割予約投入処理」が開始され、ステップＳ５１において、図４の予約投入部６２は、処理対象の流し録り予約の時間帯に放送予定の放送番組の番組情報が存在するか否かを判定する。
【０２４５】
例えば、いまの場合、図１８のＡチャンネル予約内容によると、処理対象の流し録り予約の時間帯は８時から１１時までとなっている。そこで、予約投入部６２は、コンテンツ記録部１３Ａのコンテンツ/メタデータ提供部７２Ａと、コンテンツ記録部１３Ｂのコンテンツ/メタデータ提供部７２Ｂとのそれぞれに対して、この時間帯にＡチャンネルから放送される予定の放送番組の番組情報の取得を要求する。
【０２４６】
すると、コンテンツ/メタデータ提供部７２Ａは、要求された番組情報がHDD４６Ａに記録されているか否かを判定し、その判定結果を予約投入部６２に通知する。同様に、コンテンツ/メタデータ提供部７２Ｂは、要求された番組情報がHDD４６Ｂに記録されているか否かを判定し、その判定結果を予約投入部６２に通知する。
【０２４７】
従って、コンテンツ/メタデータ提供部７２Ａとコンテンツ/メタデータ提供部７２Ｂとのいずれもが、要求された番組情報が存在しないという判定結果を通知してきた場合、予約投入部６２は、ステップＳ５１において、処理対象の流し録り予約の時間帯に放送予定の放送番組の番組情報が存在しないと判定し、処理を図１７のステップＳ６１に進める。
【０２４８】
ステップＳ６１において、予約投入部６２は、処理対象の流し録り予約をそのまま録画予約として投入し、「分割予約投入処理」を終了させる。例えば、いまの場合、図１８に示されるように、「８時から１１時までの時間帯にＡチャンネルから放送される放送内容（放送番組）を録画する」といった内容の録画予約（流し録り予約）が投入されることになる。
【０２４９】
この場合、次の流し録り予約の開始時刻は１１時３０分なので、次の分割予約投入予定時刻は１０時３０分となる。即ち、時刻が１０時３０分になると、今度は、１１時３０分から１５時までの時間帯での流し録り予約についての「分割予約投入処理」が再度実行されることになる。
【０２５０】
これに対して、いまの場合、図１８のＡチャンネル番組表によると、８時から１１時までの時間帯に放送予定の放送番組は、A番組、B番組、および、C番組とされている。そこで、コンテンツ/メタデータ提供部７２Ａとコンテンツ/メタデータ提供部７２Ｂとのうちの少なくとも一方から予約投入部６２に対して、A番組、B番組、および、C番組のうちの少なくとも１つの番組情報が存在するという判定結果が通知されてくると、図１６のステップＳ５１において、処理対象の流し録り予約の時間帯に放送予定の放送番組の番組情報が存在すると判定されて、処理はステップＳ５２に進められる。
【０２５１】
ステップＳ５２において、予約投入部６２は、処理対象の流し録り予約の時間帯に放送予定の放送番組のうちの最初の放送番組を注目番組として、その注目番組の番組情報（開始時刻と終了時刻含む）を、コンテンツ/メタデータ提供部７２Ａまたはコンテンツ/メタデータ提供部７２Ｂから取得する。
【０２５２】
そして、ステップＳ５３において、予約投入部６２は、ステップＳ５２の処理で取得された注目番組の開始時刻と終了時刻（番組情報）に基づいて、処理対象の流し録り予約の開始時刻は注目番組の途中であるか否かを判定する。
【０２５３】
例えば、いまの場合、図１８のＡチャンネル番組表によると、ステップＳ５２の処理で、A番組が注目番組とされて、A番組の番組情報が取得されることになる。このA番組の番組情報の中には、A番組の開始時刻が７時３０分であり、終了時刻が９時であることを示す情報が含まれている。
【０２５４】
また、図１８のＡチャンネル予約内容によると、処理対象の流し録り予約の開始時刻、即ち、流し録り開始時刻は、８時とされている。従って、いまの場合、予約投入部６２は、ステップＳ５３において、処理対象の流し録り予約の開始時刻は注目番組の途中であると判定し、処理をステップＳ５４に進める。
【０２５５】
ステップＳ５４において、予約投入部６２は、前の録画予約に、注目番組の一部が含まれているか否かを判定する。
【０２５６】
例えば、いまの場合、図１８に示されるように、前の録画予約は存在しないので、ステップＳ５４において、前の録画予約に注目番組の一部が含まれていないと判定されて、処理はステップＳ５５に進められる。
【０２５７】
ステップＳ５５において、予約投入部６２は、注目番組の番組情報を付加した録画予約であって、処理対象の流し録り予約の開始時刻から注目番組の終了時刻（または、処理対象の流し録り予約の終了時刻）までの録画予約を作成する。即ち、ステップＳ５５の処理により、処理対象の流し録り予約から１つの録画予約が分割されることになる。
【０２５８】
そして、ステップＳ５７において、予約投入部６２は、ステップＳ５５の処理で作成された録画予約を投入する。
【０２５９】
例えば、いまの場合、ステップＳ５５の処理で、A番組の番組情報を付加した録画予約であって、８時（処理対象の流し録り予約の開始時刻）から９時（A番組の終了時刻）までの録画予約が、図１９に示されるようなＡ予約として作成される。そして、ステップＳ５７の処理でＡ予約が投入されると、処理は図１７のステップＳ５８に進められる。
【０２６０】
ステップＳ５８において、予約投入部６２は、処理対象の流し録り予約の分割が終了したか否かを判定する。
【０２６１】
例えば、いまの場合、ステップＳ５８において、処理対象の流し録り予約の分割が終了していないと判定され、処理はステップＳ５９に進められる。
【０２６２】
ステップＳ５９において、予約投入部６２は、処理対象の流し録り予約の開始時刻、即ち、流し録り開始時刻を注目番組の終了時刻に更新し、ステップＳ６０において、分割予約投入予定時刻となったか否かを判定する。
【０２６３】
例えば、いまの場合、図１９に示されるように、ステップＳ５９の処理で、流し録り開始時刻が、A番組の終了時刻である９時に更新される。
【０２６４】
従って、今度は、分割予約投入予定時刻が８時となり、時刻が８時になるまでは、ステップＳ６０において、分割予約投入予定時刻になっていないと判定され、処理はステップＳ６０に戻され、分割予約投入予定時刻となったか否かが再度判定される。即ち、予約投入部６２は、現在の時刻を常時監視し、現在の時刻が８時になるまでは、ステップＳ６０の判定処理を繰り返すことで「分割予約投入処理」の進行を待機する。
【０２６５】
そして、現在の時刻が８時になると、予約投入部６２は、ステップＳ６０において、分割予約投入予定時刻となったと判定し、処理を図１６のステップＳ５１に戻し、それ以降の処理を実行する。
【０２６６】
例えば、いまの場合、ステップＳ５１の処理でＹＥＳであると判定され、ステップＳ５２の処理で、今度はB番組が注目番組とされてB番組の番組情報が取得される。
【０２６７】
図１９のＡチャンネル番組表によると、B番組の開始時刻は９時であり流し録り開始時刻と一致しているので、今度は、ステップＳ５３の処理で、処理対象の流し録り予約の開始時刻（９時）は注目番組（B番組）の途中ではないと判定されて、処理はステップＳ５５に進められる。
【０２６８】
すると、今度は、ステップＳ５５の処理で、B番組の番組情報を付加した録画予約であって、９時（処理対象の流し録り予約の開始時刻）から１０時（B番組の終了時刻）までの録画予約が、図２０に示されるようなＢ予約として作成される。そして、ステップＳ５７の処理でＢ予約が投入されると、処理は図１７のステップＳ５８に進められる。
【０２６９】
今度は、ステップＳ５８の処理でＮＯであると判定された後、ステップＳ５９の処理で、図２０に示されるように、流し録り開始時刻がB番組の終了時刻である１０時に更新される。
【０２７０】
従って、今度は、分割予約投入予定時刻が９時となるので、時刻が９時になると、ステップＳ６０において、分割予約投入予定時刻となったと判定され、処理は図１６のステップＳ５１に戻され、それ以降の処理が実行される。
【０２７１】
即ち、例えば、いまの場合、ステップＳ５１の処理でＹＥＳであると判定され、ステップＳ５２の処理で、今度はC番組が注目番組とされてC番組の番組情報が取得される。
【０２７２】
図２０のＡチャンネル番組表によると、C番組の開始時刻は１０時であり流し録り開始時刻と一致しているので、今度も、ステップＳ５３の処理で、処理対象の流し録り予約の開始時刻（１０時）は注目番組（C番組）の途中ではないと判定されて、処理はステップＳ５５に進められる。
【０２７３】
すると、今度は、ステップＳ５５の処理で、C番組の番組情報を付加した録画予約であって、１０時（処理対象の流し録り予約の開始時刻）から１１（処理対象の流し録り予約の終了時刻）までの録画予約が、図２１に示されるようなＣ予約として作成される。そして、ステップＳ５７の処理でＣ予約が投入されると、処理は図１７のステップＳ５８に進められる。
【０２７４】
このようにして、処理対象の流し録り予約が、Ａ予約、Ｂ予約、および、Ｃ予約のそれぞれに分割されると、ステップＳ５８において、処理対象の流し録り予約の分割が終了されたと判定され、「分割予約投入処理」が終了となる。
【０２７５】
ところで、いまの場合、図２１のＡチャンネル予約内容によると、次の流し録り予約の開始時刻は１１時３０分とされているので、次の分割予約投入予定時刻は１０時３０分になる。従って、時刻が１０時３０分になるまでは、図５のステップＳ３の処理で、分割予約投入予定時刻となっていないと常に判定され、「分割予約投入処理」は実行されない。
【０２７６】
そして、時刻が１０時３０分になった時点で、ステップＳ３の処理で、分割予約投入予定時刻になったと判定され、ステップＳ４の処理で「分割予約投入処理」が再度開始される。
【０２７７】
即ち、今度は、図２１に示されるように、１１時３０分から１５時までの時間帯での流し録り予約が処理対象とされて、図１６の「分割予約投入処理」が実行される。
【０２７８】
この場合、図２１のＡチャンネル予約内容によると、処理対象の流し録り予約の時間帯は１１時３０分から１５時となっている。また、Ａチャンネル番組表によると、その時間帯に放送予定の放送番組は、C番組およびD番組となっている。
【０２７９】
従って、例えば、いま、C番組とD番組のそれぞれの番組情報が図４のHDD４６ＡまたはH
DD４６Ｂに記憶されているとすると、今度は、ステップＳ５１の処理でＹＥＳであると判定され、ステップＳ５２の処理で、C番組が注目番組とされて、C番組の番組情報が取得される。
【０２８０】
図２１に示されるように、今度は、ステップＳ５３の処理で、処理対象の流し録り予約の開始時刻（１１時３０分）は注目番組（C番組）の途中であると判定されて、処理はステップＳ５４に進められる。
【０２８１】
例えば、いまの場合、前の録画予約とはＣ予約であり、図２１に示されるように、Ｃ予約にはC番組が含まれているので、ステップＳ５４において、前の録画予約に注目番組の一部が含まれていると判定されて、処理はステップＳ５６に進められる。
【０２８２】
ステップＳ５６において、予約投入部６２は、前の録画予約の終了時刻を、注目番組の終了時刻まで延長する。
【０２８３】
例えば、いまの場合、ステップＳ５６の処理で、図２２に示されるように、前の録画予約であるＣ予約の終了時刻が、注目番組であるC番組の終了時刻の１２時３０分まで延長される。
【０２８４】
その後、図１７のステップＳ５８の処理で、処理対象の流し録り予約の分割が終了していないと判定され、ステップＳ５９の処理で、図２２に示されるように、流し録り開始時刻が、C番組の終了時刻である１２時３０分に更新される。
【０２８５】
従って、今度は、分割予約投入予定時刻が１１時３０分となるので、時刻が１１時３０になると、ステップＳ６０において、分割予約投入予定時刻となったと判定され、処理は図１６のステップＳ５１に戻され、それ以降の処理が実行される。
【０２８６】
即ち、例えば、いまの場合、ステップＳ５１の処理でＹＥＳであると判定され、ステップＳ５２の処理で、今度はD番組が注目番組とされて、D番組の番組情報が取得される。
【０２８７】
図２２のＡチャンネル番組表によると、D番組の開始時刻は１２時３０分であり流し録り開始時刻と一致しているので、今度は、ステップＳ５３の処理で、処理対象の流し録り予約の開始時刻（１２時３０分）は注目番組（D番組）の途中ではないと判定されて、処理はステップＳ５５に進められる。
【０２８８】
すると、今度は、ステップＳ５５の処理で、D番組の番組情報を付加した録画予約であって、１２時３０分（処理対象の流し録り予約の開始時刻）から１５時（処理対象の流し録り予約の終了時刻）までの録画予約が、図２３に示されるようなＤ予約として作成される。そして、ステップＳ５７の処理で、Ｄ予約が投入されると、処理は図１７のステップＳ５８に進められる。
【０２８９】
このようにして、処理対象の流し録り予約の一部が前の録画予約のＣ予約に併合されるとともに（Ｃ予約の終了時刻が延長されるとともに）、残りの一部がＤ予約として分割されると、ステップＳ５８において、処理対象の流し録り予約の分割が終了されたと判定され、「分割予約投入処理」が終了となる。
【０２９０】
ところで、いまの場合、図２３のＡチャンネル予約内容によると次の流し録り予約の開始時刻は２０時とされているので、次の分割予約投入予定時刻は１９時になる。従って、時刻が１９時になるまでは、図５のステップＳ３の処理で、分割予約投入予定時刻となっていないと常に判定され、「分割予約投入処理」は実行されない。
【０２９１】
そして、時刻が１９時になった時点で、ステップＳ３の処理で、分割予約投入予定時刻になったと判定され、ステップＳ４の処理で「分割予約投入処理」が再度開始される。
【０２９２】
即ち、今度は、２０時以降の時間帯での流し録り予約が処理対象とされて、図１６の「分割予約投入処理」が実行されることになる。ただし、処理対象の流し録り予約の終了時刻が図示されていないので、その処理の説明については省略する。
【０２９３】
以上、図１６と図１７のフローチャートを参照して、「分割予約投入処理」の例について説明した。さらに、図１８乃至図２３を参照して、「分割予約投入処理」の具体例（具体的な処理結果の例）についても説明した。
【０２９４】
なお、繰り返しになるが、「分割予約投入処理」を行うブロックは、上述した例では予約投入部６２とされたが、上述した例に限定されず、例えば、コンテンツ記録部１３Ａ，１３Ｂの内部に設けられる図示せぬブロック等とされてもよい。
【０２９５】
また、「分割予約投入処理」は、図１６と図１７の例に特に限定されず、様々な処理を採用することが可能である。
【０２９６】
例えば、図２３のＡチャンネル予約内容によると、Ａ予約では、A番組の一部のみが録画される（最初の部分が録画されない）内容の録画予約となっている。なぜならば、上述した図１６と図１７の「分割予約投入処理」の例は、次のことを目的としているからである。即ち、流し録り予約は、ユーザの設定により投入された録画予約であるという事実、換言すると、ユーザの意思に基づく私的な録画予約であるという事実を優先させることが目的とされている。このため、上述した図１６と図１７の「分割予約投入処理」の例では、A番組の開始時刻よりも流し録り予約の開始時刻の方が優先されたA予約が作成されるからである。
【０２９７】
以上のことから、上述したように、図１６と図１７の「分割予約投入処理」の例では、D番組の終了時刻よりも流し録り予約の終了時刻の方が優先されたD予約も作成されることになる。即ち、D番組の一部のみが録画される（最後の部分が録画されない）内容のD予約
も作成されることになる。
【０２９８】
そこで、このような目的の達成が不要な場合、例えば、放送番組の開始時刻と終了時刻とを優先させる「分割予約投入処理」の採用も可能である。このような「分割予約投入処理」が採用された場合には、図示はしないが、Ａ予約は、「A番組の全てを録画する」といった内容、即ち、「７時３０分から９時までの時間帯にＡチャンネルから放送される放送内容（放送番組）を録画する」といった内容で作成されることになる。同様に、D予約は、「D番組の全てを録画する」といった内容、即ち、「１２時３０分から１５時３０分までの時間帯にＡチャンネルから放送される放送内容（放送番組）を録画する」といった内容で作成されることになる。
【０２９９】
ところで、上述した「分割予約投入処理」は、図１のコンテンツ記録再生装置１に搭載された各チューナのそれぞれについて個別に実行されることになる。即ち、本実施の形態では、コンテンツ記録部１３Ａに搭載された図３のチューナ５１−１Ａ乃至５１−３Ａのそれぞれ、および、コンテンツ記録部１３Ｂに搭載された図３のチューナ５１−１Ｂ乃至５１−３Ｂのそれぞれについての「分割予約投入処理」が個別に（独立して）実行されることになる。
【０３００】
従って、図４のコンテンツ記録部１３Ａの録画管理部７１Ａは、チューナ５１−１Ａ乃至５１−３Ａのそれぞれ毎に実行された「分割予約投入処理」の結果に従って、即ち、投入された各録画予約の内容に従って、コンテンツ取得部４５Ａを制御することで、HDD４６Ａへの録画処理を行う。これにより、各録画予約のそれぞれに対応する圧縮済みコンテンツデータを含むビデオカプセルが１つずつ生成され、HDD４６Ａに蓄積（録画）されていくことになる。
【０３０１】
同様に、図４のコンテンツ記録部１３Ｂの録画管理部７１Ｂは、チューナ５１−１Ｂ乃至５１−３Ｂのそれぞれ毎に実行された「分割予約投入処理」の結果に従って、即ち、投入された各録画予約の内容に従って、コンテンツ取得部４５Ｂを制御することで、HDD４６Ｂへの録画処理を行う。これにより、各録画予約のそれぞれに対応する圧縮済みコンテンツデータを含むビデオカプセルが１つずつ生成され、HDD４６Ｂに蓄積（録画）されていくことになる。
【０３０２】
このため、HDD４６ＡとHDD４６Ｂには、多くのビデオカプセルが蓄積されることになり、HDD４６ＡとHDD４６Ｂの録画内容の管理を適切に行わないと、所望のビデオカプセルを見つけ出すことはユーザにとって困難となってしまうという課題が発生してしまう。
【０３０３】
例えば、従来の過去番組表を利用してHDD４６ＡとHDD４６Ｂの録画内容を管理しても、上述した課題が発生してしまう。即ち、従来の過去番組表とは、上述したように、過去に放送された全ての放送番組の番組情報に基づいて作成される表（テーブル）であって、実際に録画されているか否かに関わらず、すべての放送番組（それを示す番組欄）が表示される表であった。そのため、従来の過去番組表では、録画番組と、録画されていない放送番組との区別がつかず、所望の録画番組を見つけ出すことはユーザにとって非常に困難であるという課題が発生してしまう。
【０３０４】
また、従来の過去番組表には、表示されている全ての放送番組を再生することができないという課題も存在する。
【０３０５】
そこで、上述したように、特許文献２と特許文献３には、過去番組表に含まれる番組（番組欄）のうちの録画番組については、所定の印をつけたり、表示形態を変化させる技術が開示されている。これにより、録画番組と、録画されていない放送番組との区別はある程度つくようになる。
【０３０６】
しかしながら、特許文献２と特許文献３に開示された技術も、すべての放送番組（それを示す番組欄）が表示される従来の過去番組表の利用が前提とされている。従って、特許文献２と特許文献３に開示された技術では、全ての放送番組他欄の中から、印がついたり表示形態が異なる放送番組欄を録画番組の番組欄であるとして区分した後はじめて、区分された録画番組の番組欄の中から所望の番組欄を選択する操作をユーザは行う必要がある。このような煩雑操作が必要とされているようでは、上述した前者の課題、即ち、所望の録画番組を見つけ出すことはユーザにとって非常に困難であるという課題を充分に解決しているとは言い難い。
【０３０７】
また、当然ながら、特許文献２と特許文献３に開示された技術にも、後者の課題、即ち、表示されている全ての放送番組を再生することができないという課題が存在する。
【０３０８】
そこで、本発明においては、これらの課題を同時に解決するために、HDD４６ＡとHDD４６Ｂとの録画内容（録画番組）は、上述したように、本発明の過去番組表（例えば、後述する図２６参照）やキーワード別番組表（例えば、後述する図２７参照）といったテーブルの形態で管理される。
【０３０９】
詳細については、後述するが、この本発明の過去番組表やキーワード別番組表は、実際に録画されたビデオカプセルに含まれる録画番組の番組情報から構成される。即ち、録画番組（それを示す番組欄）だけが表示されるので、表示されている全ての放送番組を再生することができる。
【０３１０】
従って、ユーザは、本発明の過去番組表やキーワード別番組表を見ることで、所望の録画番組を見つけ出すことが容易にできる。さらに、ユーザは、そのようにして見つけ出した録画番組の再生の指示操作も、本発明の過去番組表やキーワード別番組表を利用して容易に行うことができる。
【０３１１】
このような過去番組表管理部６３の処理、即ち、本発明の過去番組表やキーワード別番組表をユーザに呈示する処理や、その本発明の過去番組表やキーワード別番組表に基づいてユーザ操作がなされた場合に実行する処理は、上述したように、「過去番組表呈示/再生制御処理」と称されている。
【０３１２】
この「過去番組表呈示/再生制御処理」の例が図２４と図２５のフローチャートに示されている。そこで、以下、図２４と図２５のフローチャートを参照して、「過去番組表呈示/再生制御処理」の例について説明する。
【０３１３】
なお、上述したように、１つのビデオカプセルには複数の録画番組が含まれることもあるが、「過去番組表呈示/再生制御処理」の説明においては、説明の簡略上、１つのビデオカプセルには１つの録画番組が含まれるとする。従って、以下、録画番組と、その録画番組が含まれるビデオカプセルとを個々に区別する必要がない場合、まとめて録画番組と称する。
【０３１４】
ステップＳ８１において、図４の過去番組表管理部６３は、録画番組のデータを、コンテンツ/メタデータ提供部７２Ａまたはコンテンツ/メタデータ提供部７２Ｂを介して、HDD４６ＡとHDD４６Ｂとのそれぞれから取得する。
【０３１５】
録画番組のデータには、録画番組の番組情報（メタデータ）の他、後述するように、その録画番組の番組欄にサムネイルとして表示される画像のデータも含まれる。この画像データは、圧縮コンテンツデータそのものでもよいし、或いは、その圧縮コンテンツデータとともにビデオカプセル含まれている他の画像データ、例えば、静止画像のデータや、画質等が落とされた動画像のデータであってもよい。
【０３１６】
ただし、後者の場合、コンテンツ取得部４５Ａとコンテンツ取得部４５Ｂは、これらの静止画像のデータや画質等が落とされた動画像のデータを、圧縮コンテンツデータとは別に生成し、圧縮コンテンツデータとともにビデオカプセルに含めてHDD４６ＡまたはHDD４６Ｂに記憶させる必要がある。
【０３１７】
或いは、前者の場合であっても、過去番組表管理部６３は、圧縮コンテンツデータをそのままサムネイル用の画像データとして使用せずに、その圧縮コンテンツデータから、静止画像のデータや画質等が落とされた動画像のデータを新たに生成し、それをサムネイル用の画像データとして使用してもよい。
【０３１８】
ステップＳ８２において、過去番組表管理部６３は、表示方式を「過去番組表」に初期設定する。
【０３１９】
即ち、上述したように、本実施の形態では、過去番組表の他にキーワード別番組表の表示も可能とされている。そこで、過去番組表とキーワード別番組表とのうちのいずれが最初に表示されるのかを、初期設定で決めておく必要がある。従って、表示方式の初期設定は、図２４の例では「過去番組表」とされているが、「キーワード別番組表」でも当然構わない。
【０３２０】
ステップＳ８３において、過去番組表管理部６３は、現時点の表示方式に対応するテーブル（データ）を作成し、情報呈示統合制御部６１に供給する。例えば、いまの場合、ステップＳ８３の処理で、過去番組表（データ）が作成され、情報呈示統合制御部６１に供給される。
【０３２１】
すると、ステップＳ８４において、情報呈示統合制御部６１は、供給されたデータに対応するテーブルを出力部２７から表示する。例えば、いまの場合、ステップＳ８４の処理で、図２６に示されるような過去番組表が表示される。
【０３２２】
即ち、図２６は、本発明の過去番組表の表示例を示している。そこで、以下、図２６を参照して、本発明の過去番組表の例について説明する。
【０３２３】
図２６の図中左上のソフトボタン２０１は、表示方式を切り替えるためのボタンである。そこで、以下、ソフトボタン２０１を、切替ボタン２０１と称する。なお、切替ボタン２０１が押下された場合の過去番組表管理部６３の処理については後述する。
【０３２４】
領域２０２には、紙媒体の新聞のテレビ欄と類似する形態で番組欄（表示エリア）が表示される。即ち、領域２０２には、チャンネル毎に、各録画番組のそれぞれを示す番組欄が、録画された時間帯を示す領域に配置されて表示される。即ち、各番組欄のそれぞれは、録画時間に応じた長さで縦方向に長く表示されることになる。
【０３２５】
ひとつの録画番組の番組欄には、通常、サムネイル用の画像（動画像または静止画像）と放送番組のタイトルが表示される。なお、録画時間が短い録画番組の番組欄では、必要に応じてサムネイルは表示されない。録画時間が短い録画番組の番組欄は、サムネイルを表示するだけの長さ（サイズ）を有していないからである。
【０３２６】
具体的には、例えば、図２６の例では、Ａチャンネルの列には、２０時１０分から２０時５０分までの時間帯に録画された音楽A番組を示す番組欄が表示されていることから、この時間帯にＡチャンネルから放送された音楽A番組が録画されていることがわかる。一方、１９時３０分から２０時１０分までの時間帯を示す領域には番組欄が表示されていないので、この時間帯にＡチャンネルから放送された放送内容（放送番組）は録画されていないことがわかる。
【０３２７】
同様に、Ｂチャンネルの列には、１９時３０分から１９時５５分までの時間帯に録画された音楽B番組を示す番組欄と、２０時５分以降の時間帯に録画された情報A番組を示す番組欄が表示されていることから、これらの時間帯のそれぞれにＢチャンネルから放送された音楽B番組と情報A番組のそれぞれが録画されていることがわかる。一方、１９時５５分から２０時５分までの時間帯を示す領域には番組欄が表示されていないので、この時間帯にＢチャンネルから放送された放送内容（放送番組）は録画されていないことがわかる。
【０３２８】
Ｃチャンネルの列には、１９時２５分よりも前の所定の時刻から２０時００分までの時間帯に録画されたニュースA番組を示す番組欄が表示されていることから、この時間帯にＣチャンネルから放送されたニュースA番組が録画されていることがわかる。一方、２０時から２１時までの時間帯を示す領域には番組欄が表示されていないので、この時間帯にＣチャンネルから放送された放送内容（放送番組）は録画されていないことがわかる。
【０３２９】
Ｄチャンネルの列には、２０時から２０時５５分までの時間帯に録画された体育A番組を示す番組欄が表示されていることから、この時間帯にＤチャンネルから放送された体育A番組が録画されていることがわかる。一方、１９時２５分から２０時までの時間帯を示す領域には番組欄が表示されていないので、この時間帯にＤチャンネルから放送された放送内容（放送番組）は録画されていないことがわかる。
【０３３０】
Ｅチャンネルの列には、１９時４０分から１９時５５分までの時間帯に録画された天気A番組を示す番組欄が表示されていることから、この時間帯にＥチャンネルから放送された天気A番組が録画されていることがわかる。一方、１９時５５分から２０時５５分までの時間帯を示す領域には番組欄が表示されていないので、この時間帯にＥチャンネルから放送された放送内容（放送番組）は録画されていないことがわかる。
【０３３１】
ところで、領域２０２には、これらの番組欄を含む過去番組表の下には、現在放送中または再生中の放送番組等の画像（以下、背景画像と称する）が表示される。ただし、ユーザにとっては、背景画像は、図２６に示されるように領域２０２のうちの番組欄が表示されていない領域（録画番組が存在しない時間帯の領域）にのみ表示されているように映る。
【０３３２】
また、選択されている番組欄、例えば、図２６の例では、Ｂチャンネルの音楽B番組は、図２６の例では灰色表示となっているが、実際には、ハイライト表示となる。なお、以下、番組欄または表示切替ボタン２０１等の所定の領域が選択されることを、便宜上、フォーカスが配置されると称する。即ち、フォーカスが配置された領域は、実際にはハイライト表示になる。
【０３３３】
一方、選択されていない番組欄、即ち、フォーカスが配置されていない番組欄は、図２６の例では白色の表示となっているが、実際には半透明の表示である。これにより、選択されていない番組欄が透けるようにして、その下の背景画像（現在放送中または再生中の放送番組等）が表示される。
【０３３４】
換言すると、背景画像の上に過去番組表が合成された合成画像が、領域２０２に表示されることになる。ただし、背景画像と過去番組表との合成割合（過去番組表の透過割合）は、領域２０２で一定ではない。即ち、例えば、番組欄が存在しない領域では１００％とされ（なお、１００％は、完全に透ける割合を示し、一方、０％は、全く透けない割合を示すとする）、選択されている番組欄の領域では０％とされ、選択されていない番組欄の領域ではその中間の割合（５０％等）とされる。
【０３３５】
領域２０３には、選択されている番組欄（それに対応する録画番組）に関する詳細な情報が各種表示される。なお、図２６の例では、サムネイルしか表示されていないが、実際には、例えば、次のA）乃至K)で示される情報が表示される。
【０３３６】
A)  放送局
B)  放送日、開始時刻、終了時刻、および、録画時間
C)  番組名（タイトル）
D)  番組詳細情報（内容、登場人物、俳優名など）
E)  録画モード（高画質、標準など）
F)  ファイルサイズ
G)  自動消去の状態（「可」の属性の場合には、さらに消されるまでの予想時間）
H)  有効期限（設定されている場合）
I)  ツメの状態
J)  ジャンル
K)  サムネイル
【０３３７】
なお、G），H)，I)の情報は、その録画番組（ビデオカプセル）が有する属性を表している。なお、これらの各属性のそれぞれは後述するユーザ操作で変更可能とされていることから、そのユーザ操作の説明の中で各属性のそれぞれの説明も併せて行う。
【０３３８】
また、J）の情報は、領域２０３に表示せずに（或いは、表示させるとともに）、例えば、番組欄を色分け表示することでも表現可能である。
【０３３９】
次に、このような本発明の過去番組表（および、後述するキーワード別番組表）を利用するユーザ操作について説明する。
【０３４０】
なお、過去番組表や後述するキーワード別番組表を利用するユーザ操作では、図４の入力部２６のうちのリモートコントローラ（以下、リモコンと称する）が利用されるとして、以下説明していく。ただし、当然ながら、ユーザは、以下に説明する一連の操作を、リモコンの他マウスやキーボードを使用しても全く同様に行うことが可能である。
【０３４１】
例えば、ユーザは、リモコンの上下左右ボタンの押下操作により、所望の領域にフォーカスを移動させ、リモコンの決定ボタンを押下操作することで、フォーカスが配置された領域に対応する処理を過去番組表管理部６３に実行させることができる。
【０３４２】
具体的には、例えば、フォーカスが切替ボタン２０１に配置された状態で、リモコンの決定ボタンが押下されると、表示方式が現状の「過去番組表」から「キーワード別番組表」に切り替わり、図２７に示されるようなキーワード別番組表が出力部２７から表示されることになる。なお、切替ボタン２０１が押下された場合の処理や、キーワード別番組表の詳細な説明については後述する。
【０３４３】
また、例えば、フォーカスが所定の番組欄に配置された状態で、即ち、所定の番組欄が選択されている状態で、リモコンの決定ボタンが押下されると、図示はしないが、メニュー（画像）が表示される。
【０３４４】
このメニューの表示内容は、例えば、次の１）乃至５）で示されるとおりである。メニューにおいても、同様に、ユーザは、リモコンの上下左右ボタンの押下操作で、１）乃至５）を示す領域のうちの所望の領域にフォーカスを移動させ、リモコンの決定ボタンの押下操作を行うことで、次の１）の処理乃至５）の処理で示される処理のうちの対応する処理を過去番組表管理部６３に実行させることができる。
【０３４５】
1) 再生
2) 続きから再生
3) 消去
4) コピー
5) プロパティ
【０３４６】
1)の処理：  過去番組表の表示が消えて、その番組欄に対応する録画番組を最初から再生する（領域２０２に表示する）。
2)の処理：  過去番組表の表示が消えて、その番組欄に対応する録画番組のうちの、前回の続きから再生する（領域２０２に表示する）。ただし、以前、再生したことが無ければ選択できない。
3)の処理：  その番組欄に対応する録画番組をHDD４６ＡまたはHDD４６Ｂから削除する。
4)の処理：  その番組欄に対応する録画番組をHDD４６ＡまたはHDD４６Ｂから、主制御部１１の図２の記憶部２８へコピーする。
5) プロパティ：  プロパティウィンドウ（メニュー）を開く
【０３４７】
図示はしないが、プロパティウィンドウとは、その番組欄に対応する録画番組の属性を変更することができるメニューである。
【０３４８】
具体的には、例えば、プロパティウィンドウで変更可能な属性とは、次のa）乃至c）で示されるとおりである。
【０３４９】
a)自動消去の属性
b)有効期限
c)ツメの属性
【０３５０】
なお、a)における自動消去とは、例えば、HDD４６ＡまたはHDD４６Ｂの記録可能な容量（残量）が所定の閾値以下になった場合、所定の規則（開始時刻が古いもの順に消去するという規則等）に従って、録画管理部７１Ａまたは録画管理部７１Ｂが、HDD４６ＡまたはHDD４６Ｂから対象の録画番組（ビデオカプセル）を自動的に消去していくことを指す。従って、自動消去の属性として、その録画番組（ビデオカプセル）の自動消去を許可する「可」という属性と、その録画番組（ビデオカプセル）の自動消去を許可しない「不可」とが設けられている。即ち、「不可」の属性を有する録画番組は、自動消去の対象から除外される。従って、ユーザは、プロパティウィンドウで、「可」と「不可」のうちのいずれかを設定することができる。
【０３５１】
ｂ）における有効期限とは自動消去の規則の一つを示しており、設定されている有効期限を過ぎた放送番組については自動消去の対象になる。
【０３５２】
c）におけるツメとは、ハードウエアのビデオテープ等の“ツメ”に相当する概念である。即ち、ツメの属性として、「ツメが折られている」という属性と、「ツメが折られていない」という属性とが設けられている。「ツメが折られている」の属性を有する録画番組（ビデオカプセル）は、だれも削除することができない。従って、例えば、いわゆる永久保存版としたい録画番組等については、ユーザは、プロパティウィンドウで「ツメが折られている」の属性を設定すればよい。また、録画番組の削除が必要な場合には、ユーザは、プロパティウィンドウで、「ツメが折られていない」の属性を設定すればよい。
【０３５３】
なお、詳細については省略するが、このように録画番組（ビデオカプセル）に各種属性を持たせることで、例えば、消去順番を決定する際の指標となる多段階のレベルを各録画番組のそれぞれに設定することが可能になる。なお、例えば、上の段階のレベルになるほど消去が困難になるとする。例えば、「ツメが折られている」属性を有する録画番組に対して、一番上の段階（最高レベル）を設定することが可能になる。
【０３５４】
以上説明したような本発明の過去番組表（および、後述するキーワード別番組表）を利用するユーザ操作に応じて、図４の過去番組表管理部６３が実行する処理例が、図２４のステップＳ８５以降の処理として示されている。そこで、以下、図２４のステップＳ８５以降の処理について説明する。
【０３５５】
ステップＳ８５において、過去番組表管理部６３は、入力部２６（リモコン）を構成するボタンのうちの所定のボタンが押下されたか否かを判定する。
【０３５６】
ステップＳ８５において、入力部２６を構成するボタンのいずれのボタンも押下されていないと判定された場合、処理はステップＳ８５に戻され、入力部２６を構成するボタンのうちの所定のボタンが押下されたか否かが再度判定される。即ち、過去番組表管理部６３は、入力部２６からの入力内容を常時監視している。
【０３５７】
そして、入力部２６を構成するボタンのうちのいずれかのボタンが押下されると、ステップＳ８５において、過去番組表管理部６３は、入力部２６を構成するボタンのうちの所定のボタンが押下されたと判定する。そして、過去番組表管理部６３は、いずれのボタンが押下されたのかを検出した後、処理をステップＳ８６に進める。
【０３５８】
ステップＳ８６において、過去番組表管理部６３は、押下されたボタンが上下左右ボタンであるか否かを判定する。
【０３５９】
押下されたボタンが上下左右ボタンのうちのいずれかである場合、ステップＳ８６において、押下されたボタンが上下左右ボタンであると判定され、処理はステップＳ８７に進められる。
【０３６０】
上述したように、フォーカスを移動させるためのボタンが上下左右ボタンとされていることから、ステップＳ８７以降の処理で、フォーカスを移動させる処理が実行されることになる。
【０３６１】
即ち、過去番組表管理部６３は、ステップＳ８７において、（上下左右ボタンの押下操作による）移動後のフォーカスが現在の表示画面の外に配置されるか否かを判定する。
【０３６２】
ステップＳ８７において、移動後のフォーカスが現在の表示画面の外に配置されると判定した場合、過去番組表管理部６３は、ステップＳ８８において、画面スクロール処理を実行する。
【０３６３】
即ち、上下左右ボタンの押下操作により、図４の出力部２７の画面内に表示されていない番組欄、或いは画面内に一部しか表示されていない番組欄が選択された場合、選択された番組欄の先頭が表示されるまで、領域２０２の表示内容（各番組欄）がスクロールしていくことなる。正確には、過去番組表管理部６３は、上下左右ボタンが押下される毎に、過去番組表の全体のうちの、押下されたボタンに対応する方向にスクロールされた際に画面に表示される部分を示す画像データを生成し、情報呈示統合制御部６１に順次供給する。情報呈示統合制御部６１は、順次供給されてくる各画像データのそれぞれに対応する画像を出力部２７に順次表示させていく。
【０３６４】
そして、ステップＳ８９において、過去番組表管理部６３は、選択された領域までフォーカスを移動させる。即ち、選択された領域がハイライト表示となるように、表示画面（領域２０２の表示内容）が更新される。
【０３６５】
これに対して、ステップＳ８７において、移動後のフォーカスが、現在の表示画面の外に配置されないと判定された場合、選択された領域は表示画面内に存在することになるので、ステップＳ８８の処理は実行されずに、ステップＳ８９の処理で、選択された領域までフォーカスが移動される（そのように表示画面が更新される）。
【０３６６】
その後、処理はステップＳ８５に戻され、それ以降の処理が繰り返される。即ち、過去番組表管理部６３は、リモコン（入力部２６）のボタンが次に押下されることを監視する。
【０３６７】
例えば、今度は、決定ボタンが押下されたとする。
【０３６８】
この場合、過去番組表管理部６３は、ステップＳ８５の処理でＹＥＳであると判定し、ステップＳ８６の処理でＮＯであると判定し、ステップＳ９０の処理で決定ボタンであると判定し、処理をステップＳ９１に進める。
【０３６９】
ステップＳ９１において、過去番組表管理部６３は、表示切替ボタン２０１にフォーカスが配置されているか否かを判定する。
【０３７０】
ステップＳ９１において、フォーカスが、表示切替ボタン２０１に配置されていると判定された場合、処理はステップＳ９２に進む。ただし、ステップＳ９２以降の処理については後述する。
【０３７１】
なお、ここでは、フォーカスの配置位置は、表示切替ボタン２０１、および、領域２０２に表示されている各番組欄のそれぞれのうちのいずれかとされる。
【０３７２】
この場合、フォーカスが、領域２０２に表示されている所定の番組欄に配置されていると、ステップＳ９１において、フォーカスが、表示切替ボタン２０１に配置されていないと判定され、処理は図２５のステップＳ９３に進む。
【０３７３】
ステップＳ９３において、過去番組表管理部６３は、情報呈示統合制御部６１を介して出力部２７にメニューを表示させる。
【０３７４】
なお、メニューの表示内容は、実際には上述した１）乃至５）で示されるとおりとなるが、ここでは、説明の簡略上、例えば1) 再生と5) プロパティのみとされる。また、上述したように、メニューにおいても、リモコンの上下左右ボタンと決定ボタンの押下操作により1) 再生と5) プロパティとのうちのいずれかが選択されることになる。即ち、実際には、メニュー操作に対応する処理も、「過去番組表呈示/再生制御処理」に必要となるが、ここでは、説明の簡略上、その処理の説明は省略する（図２４と図２５のフローチャートでも省略されている）。
【０３７５】
この場合、1) 再生が選択されると、ステップＳ９４において、再生が選択されたと判定され、処理はステップＳ９５に進められる。
【０３７６】
ステップＳ９５において、過去番組表管理部６３は、フォーカスが配置された番組欄で特定される録画番組を再生する。詳細には、過去番組表管理部６３は、フォーカスが配置された番組欄で特定される録画番組（ビデオカプセル）を、図４のHDD４６ＡまたはHDD４６Ｂからコンテンツ/メタデータ提供部７２Ａまたはコンテンツ/メタデータ提供部７２Ｂを介して取得し、情報呈示統合制御部６１に供給する。情報呈示統合制御部６１は、供給された録画番組（ビデオカプセル）を構成する映像信号と音声信号を出力部２７に供給する。出力部２７は、供給された映像信号に対応する映像（動画像）を表示するとともに、供給された音声信号に対応する音声を出力する。即ち、出力部２７は、録画番組を再生する。
【０３７７】
そして、その録画番組の再生が終了すると、「過去番組表呈示/再生制御処理」は終了となる。
【０３７８】
これに対して、5)プロパティが選択され、さらに、上述したa) 自動消去の属性、b)有効期限、およびc) ツメの状態のうちのいずれかの変更が指示された場合、過去番組表管理部６３は、ステップＳ９４において、再生が選択されていないと判定し、ステップＳ９６において、その指示に従って、フォーカスが配置された番組欄で特定される録画番組の属性を変更する。
【０３７９】
その後、処理は図２４のステップＳ８５に戻され、それ以降の処理が繰り返される。
【０３８０】
以上、上下左右ボタンと、決定ボタンとのそれぞれが押下された場合の処理について説明した。
【０３８１】
その他、リモコンには様々なボタンが設けられており、それらのボタンが押下された場合の処理は次の通りとなる。
【０３８２】
即ち、例えば、リモコンのうちの終了ボタンが押下された場合には、図２４のステップＳ８５でＹＥＳであると判定され、ステップ８６でＮＯであると判定され、ステップＳ９０でＮＯであると判定され、さらに、図２５のステップＳ９７の処理で終了ボタンであると判定されて、「過去番組表呈示/再生制御処理」は終了となる。
【０３８３】
これに対して、例えば、上下左右ボタン、決定ボタン、および終了ボタン以外のボタンが押下された場合には、図２４のステップＳ８５でＹＥＳであると判定され、ステップ８６でＮＯであると判定され、ステップＳ９０でＮＯであると判定され、図２５のステップＳ９７の処理でＮＯであると判定されて、処理はステップＳ９８に進む。
【０３８４】
ステップＳ９８において、過去番組表管理部６３は、押下されたボタンに対応する処理を実行する。その処理が終了すると、処理は図２４のステップＳ８５に戻され、それ以降の処理が繰り返される。
【０３８５】
ところで、上述したように、図２６の表示切替ボタン２０１にフォーカスが配置されている状態でリモコンの決定ボタンが押下された場合には、図２４のステップＳ８５でＹＥＳであると判定され、ステップ８６でＮＯであると判定され、ステップＳ９０でＹＥＳであると判定され、さらに、ステップＳ９１においてＹＥＳであると判定されて、処理はステップＳ９２に進められる。
【０３８６】
ステップＳ９２において、過去番組表管理部６３は、表示方式を変更し、処理をステップＳ８３に戻し、それ以降の処理を繰り返す。即ち、ステップＳ８３の処理で、変更された表示方式に対応するテーブルが生成され、ステップＳ８４の処理で表示され、その後、ステップＳ８５以降の処理で、ユーザ操作に対応する処理が実行されることになる。
【０３８７】
具体的には、例えば、図２６の過去番組表が表示されている状態で表示切替ボタン２０１が押下されると、上述したように、例えば、図２７に示されるようなキーワード別番組表が表示される。
【０３８８】
即ち、図２７は、キーワード別番組表の表示例を示している。そこで、以下、図２７を参照して、キーワード別番組表の例について説明する。
【０３８９】
図２７の図中左上のソフトボタン２１１は、図２６の切替ボタン２０１に対応する切替ボタンである。即ち、図２７のキーワード別番組表が表示されている状態で、表示切替ボタン２１１が押下されると、例えば今度は、上述した図２６に示されるような過去番組表が表示されることになる。
【０３９０】
領域２１２は、図２６の領域２０２に対応する領域である。ただし、領域２１２には、各録画番組のそれぞれを示す番組欄（表示エリア）がキーワード毎に分類されて表示される。換言すると、領域２１２には、領域２０２に表示され得る番組欄が表示されるが、それらの番組欄の配置レイアウトが領域２０２とは異なって表示される。
【０３９１】
このように、切替ボタンの押下操作といった簡単な操作のみで過去番組表とキーワード別番組表との相互の表示切替が可能な理由は、上述したように、過去番組表とキーワード別番組表のいずれもが、録画番組の番組情報に基づく番組欄を表示するからである。
【０３９２】
ところで、この場合、各番組欄（表示エリア）のそれぞれは、図２７に示されるように同一の大きさ（サイズ）で表示されることになる。また、キーワード別番組表でも、ひとつの録画番組の番組欄にはサムネイル用の画像（動画像または静止画像）と録画番組のタイトルとが通常表示される。
【０３９３】
換言すると、図２６の過去番組表では、縦方向の軸は時間軸であったのに対して、図２７のキーワード別番組表では、縦方向の軸は録画個数を示す軸になる。その結果、キーワード別番組表では、ひとつの番組欄の占める大きさ（サイズ）が、放送番組の録画時間に依存せず一定の面積となる。このため、録画時間の長短に関わらず、全ての番組欄にはサムネイルと番組タイトルが表示される。
【０３９４】
また、図２６の過去番組表では、横方向の軸は各チャンネルを示す軸であったのに対して、図２７のキーワード別番組表では、横方向の軸はキーワードを示す軸になる。即ち、図２６の過去番組表では、各列のそれぞれには、対応するチャンネルの録画番組が表示されていたのに対して、図２７のキーワード別番組表では、各列のそれぞれには、対応するキーワードに分類された録画番組（異なるチャンネルの録画番組となり得る）が表示される。
【０３９５】
キーワードは、例えば、図１のコンテンツ記録部１自体に予め登録されている単語を利用することができる。この場合、キーワードとして利用される所定の単語が番組情報に含まれていれば、過去番組表管理部６３は、その番組情報で特定される録画番組をそのキーワード（単語）に分類する。即ち、キーワード別番組表の各列のうちのそのキーワードの列に、その録画番組を示す番組欄が表示される。
【０３９６】
従って、複数のキーワード（単語）が１つの番組情報の中に含まれている場合、その番組情報で特定される録画番組は、複数のキーワードのそれぞれに分類されることになる。即ち、キーワード別番組表の各列のうちの複数のキーワードのそれぞれに対応する複数の列に、同一の録画番組を示す番組欄が表示されることもあり得る。
【０３９７】
その他、録画番組の番組情報に含まれるジャンルをキーワードとみなして分類することも可能である。また、ユーザが任意に設定した情報をキーワードとみなして分類することも可能である。
【０３９８】
ただし、ここでは説明の簡略上、例えば、キーワードとして、「ニュース」、「天気」、「音楽」、「体育」、「情報」、「ドラマ」、および、「バラエティ」が採用されているとする。
【０３９９】
この場合、図２４のステップＳ８３の処理で生成されるテーブル（データ）は、実際には、図２８に示されるようなテーブルとなる。即ち、図２８に示されるテーブルがキーワード別番組表の全体を示しており、このキーワード別番組表の全体のうちの同図中太線枠２８８で囲まれた部分のみが、図２７の領域２１２に表示されることになる。
【０４００】
以下、図２８に示されるキーワード別番組表についてさらに詳しく説明する。
【０４０１】
図２８のキーワード別番組表の各列（各キーワード）のそれぞれにおいて、同図中下方に配置される番組欄になればなる程、時間的に新しく（放送開始時刻が現在の時刻に近く）なっていき、図中上方に配置される番組欄になればなる程、時間的に古く（放送開始時刻が現在の時刻に比べて遠く）なっていく。
【０４０２】
このように、キーワード別番組表は、放送時間帯に関係なく放送開始時刻の新しい順に、下から上に向かって番組欄が積み上げられていく形態とされている。従って、キーワード別番組表では、過去番組表のように番組欄と番組欄との間に隙間ができることはない。また、各列に配置される番組欄の個数はキーワード毎に異なることになるので、キーワード別番組表は、キーワード毎に高さが異なるバー（棒）から構成される棒グラフのような形態であるとも言える。
【０４０３】
このようにして生成された図２８のキーワード別番組表は、図２４のステップＳ８４の処理で出力部２７に表示されることになる。
【０４０４】
ただし、上述したように、図２８のキーワード別番組表の全てが表示されるわけではなく、出力部２７の大きさや解像度によっては、その一部分のみが表示されることになる。例えば、図２７の例では、図２８の枠２２２で囲まれている部分のみが表示されていることになる。
【０４０５】
換言すると、この枠２２２をいわゆる窓（ウィンドウ）とみなすと、ウィンドウ２２２の中のみが表示されることになる。従って、図２８に示されるようにウィンドウ２２２を移動させることで、図２７の領域２１２の表示内容（表示範囲）を可変させることができる。このウィンドウ２２２を移動させる処理が、図２４のステップＳ８７乃至Ｓ８９の処理に相当する。従って、ユーザは、図２７の領域２１２の表示内容（表示範囲）を可変させたい場合、即ち、図２８に示されるようにウィンドウ２２２を移動させたい場合、リモコンの上下左右ボタンの押下操作といった簡単な操作を単に行えばよいことになる。
【０４０６】
さらに、ユーザは、キーワード別番組表に対しても、上述した過去番組表に対するリモコン操作と全く同様の操作を行うことができる。即ち、過去番組表管理部６３は、キーワード別番組表が表示されている場合でも、図２４のステップＳ８５以降の処理を全く同様に実行することができる。
【０４０７】
なお、キーワード別番組表の横軸におけるキーワードの並び順は、上述した例に限定されず、任意の順番でよい。例えば、「ニュース」、「音楽」、「天気」、「ドラマ」、「情報」、「バラエティ」、および「体育」のように、各ジャンル（キーワード）に属する録画番組（番組欄）の個数の多い順番に左より並べてもよい。この場合、ユーザは容易に全体的な並び方を想像することが可能になる。即ち、特定のジャンルの先端の番組欄が表示されていると、それよりも右側は、そのジャンルよりも録画番組の数が少なくなっているということが簡単にわかり、上述したように、キーワード別番組表のうちの一部しかたとえ表示されていなくても、ユーザは全体像を把握することが容易になる。
【０４０８】
以上、本発明が適用される例として、図１のコンテンツ記録再生装置１について説明した。
【０４０９】
ところで、本発明は、図１の例に限定されず、様々な形態をとる事が可能である。
【０４１０】
具体的には、例えば、本発明は、図２９に示されるような情報処理システムにも適用可能である。即ち、図２９は、本発明が適用される情報処理システムの構成例を示している。
【０４１１】
図２９の情報処理システムにおいて、主制御装置３０１、コンテンツ記録装置３０３Ａ、および、コンテンツ記録装置３０３Ｂのそれぞれは、ネットワーク３０２を介して相互に接続されている。
【０４１２】
図２９における、主制御装置３０１、コンテンツ記録装置３０３Ａ、および、コンテンツ記録装置３０３Ｂのそれぞれは、図１における、主制御部１１、コンテンツ記録部１３Ａ、および、コンテンツ記録部１３Ｂのそれぞれに対応する機能を有している。即ち、主制御装置３０１、コンテンツ記録装置３０３Ａ、および、コンテンツ記録装置３０３Ｂのそれぞれは、主制御部１１、コンテンツ記録部１３Ａ、および、コンテンツ記録部１３Ｂのそれぞれの図４の機能的構成と同様の機能的構成を有している。
【０４１３】
なお、図２９における、主制御装置３０１、コンテンツ記録装置３０３Ａ、および、コンテンツ記録装置３０３Ｂのそれぞれのハードウエア構成は、図１における、主制御部１１、コンテンツ記録部１３Ａ、および、コンテンツ記録部１３Ｂのそれぞれのハードウエア構成と必ずしも同様である必要は無いが、同様であっても勿論よい。即ち、主制御装置３０１は例えば図２のように構成し、コンテンツ記録装置３０３Ａおよびコンテンツ記録装置３０３Ｂのそれぞれは例えば図３のように構成することも勿論可能である。
【０４１４】
なお、以下、コンテンツ記録部１３Ａとコンテンツ記録部１３Ｂとを個々に区別する必要がない場合にはそれらをまとめてコンテンツ記録部１３と称したように、以下、コンテンツ記録装置３０３Ａとコンテンツ記録装置３０３Ｂとを個々に区別する必要がない場合、まとめてコンテンツ記録装置３０３と称する。
【０４１５】
以上の内容を換言すると、主制御部１１、および、２つのコンテンツ記録部１３が一つの筺体に収められた場合には、その筺体、並びに、その内部に納められた主制御部１１および２つのコンテンツ記録部１３Ｂが、図１のコンテンツ記録再生装置１を構成することになる。
【０４１６】
一方、主制御部１１、および、２つのコンテンツ記録部１３のそれぞれが、主制御装置３０１、および、２台のコンテンツ記録装置３０３のそれぞれといった独立した装置として異なる場所に配置された場合には、図２９の情報処理システム（の一部）を構成することになる。
【０４１７】
即ち、システムとは、処理手段、および複数の装置により構成される装置全体を表すものであると定義すれば、図１も図２９も本発明が適用される情報処理システムの構成例を示していることになり、結局、筺体に収められるか否かだけが差異となる。
【０４１８】
従って、図２９の例では、コンテンツ記録装置３０３は２台しか設けられていないが、上述したコンテンツ記録部１３と全く同様に、この情報処理システムを構成するコンテンツ記録装置３０３の台数は任意の台数で構わない。
【０４１９】
また、ネットワーク３０２の形態は特に限定されないが、図１のネットワーク１２と同様の形態を取ることが可能である。
【０４２０】
さらに、図２９の例では、主制御装置３０１には、ネットワーク３０２とは異なるネットワーク３０４が接続されている。これにより、主制御装置３０１は、ネットワーク３０４に接続された他の装置と各種情報を授受することができる。例えば、図２９の例では、主制御装置３０１は、テレビジョン受像機３０５、ＡＶ（Audio and Visual）機器３０６、および、外部機器３０７のそれぞれとネットワーク３０４を介して各種情報を授受することができる。
【０４２１】
従って、図１には図示されていないが、当然ながら、主制御部１１（正確には、上述したように図２の通信部２９）も、ネットワーク３０４と同様のネットワークと接続可能であり、そのネットワークに接続された他の装置と各種情報を授受することができる。
【０４２２】
ところで、上述した一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０４２３】
この記録媒体は、装置本体とは別に、ユーザにプログラムを提供するために配布される、プログラムが記録されている磁気ディスク（フロッピディスクを含む）、光ディスク（CD-ROM（Compact Disk-Read Only Memory)，DVD（Digital Versatile Disk）を含む）、光磁気ディスク（ＭＤ（Mini-Disk）を含む）、もしくは半導体メモリなどよりなる図２のリムーバブル記録媒体３１により構成されるだけでなく、装置本体に予め組み込まれた状態でユーザに提供される、プログラムが記録されている図２のROM２９または図３のROM４２や、図２の記憶部２８または図３のHDD４６に含まれるハードディスクなどで構成される。
【０４２４】
また、放送番組（放送番組を構成する映像信号と音声信号）は、上述した例では、無線（放送電波）で搬送されたが、ケーブルテレビジョン放送のように有線で搬送されてもよい。即ち、本明細書で言う放送番組とは、地上波や衛星波で放送される放送番組のみならず、ネットワーク等を介して配信されるコンテンツまで含む広い概念である。換言すると、本明細書においては、上述したように、放送番組とコンテンツとは同義語として取り扱われる。このような観点に立つと、番組情報も、EPG（Electronic Program Guide）情報に限定されず、一般的なコンテンツのメタデータ等、本明細書で言う放送番組（＝コンテンツ）に関する情報であればよい。
【０４２５】
また、本明細書において、記録媒体に記録されるプログラムを記述するステップは、記載された順序に沿って時系列的に行われる処理はもちろん、必ずしも時系列的に処理されなくとも、並列的または個別に実行される処理をも含むものである。
【図面の簡単な説明】
【０４２６】
【図１】本発明が適用されるコンテンツ記録再生装置のハードウエア構成例を示す図である。
【図２】図１のコンテンツ記録再生装置の主制御部のハードウエア構成例の詳細を示すブロック図である。
【図３】図１のコンテンツ記録再生装置のコンテンツ記録部のハードウエア構成例の詳細を示すブロック図である。
【図４】図１のコンテンツ記録再生装置が有する機能的構成を示す機能ブロック図である。
【図５】図１のコンテンツ記録再生装置が実行する「録画再生制御処理」の例を説明するフローチャートである。
【図６】図１のコンテンツ記録再生装置が実行する「流し録り予約投入処理」の例を説明するフローチャートである。
【図７】図１のコンテンツ記録再生装置が実行する「流し録り予約投入処理」の例を説明するフローチャートである。
【図８】図６と図７の「流し録り予約投入処理」で利用される流し録り予約画像の例を示す図である。
【図９】図８の流し録り予約画像を利用して、流し録り予約の設定操作例を説明する図である。
【図１０】図８の流し録り予約画像を利用して、流し録り予約の設定操作例を説明する図である。
【図１１】図８の流し録り予約画像を利用して、流し録り予約の設定操作例を説明する図である。
【図１２】図８の流し録り予約画像を利用して、流し録り予約の設定操作例を説明する図である。
【図１３】図６と図７の「流し録り予約投入処理」で利用される流し録り予約画像の他の例を示す図である。
【図１４】図６と図７の「流し録り予約投入処理」で利用される流し録り予約画像のさらに他の例を示す図である。
【図１５】図１４の流し録り予約画像とともに利用されるダイアログ（画像）の例を示す図である。
【図１６】図１のコンテンツ記録再生装置が実行する「分割予約投入処理」の例を説明するフローチャートである。
【図１７】図１のコンテンツ記録再生装置が実行する「分割予約投入処理」の例を説明するフローチャートである。
【図１８】図１６と図１７の「分割予約投入処理」の処理結果の具体例を示す図である。
【図１９】図１６と図１７の「分割予約投入処理」の処理結果の具体例を示す図である。
【図２０】図１６と図１７の「分割予約投入処理」の処理結果の具体例を示す図である。
【図２１】図１６と図１７の「分割予約投入処理」の処理結果の具体例を示す図である。
【図２２】図１６と図１７の「分割予約投入処理」の処理結果の具体例を示す図である。
【図２３】図１６と図１７の「分割予約投入処理」の処理結果の具体例を示す図である。
【図２４】図１のコンテンツ記録再生装置が実行する「過去番組表呈示/再生制御処理」の例を説明するフローチャートである。
【図２５】図１のコンテンツ記録再生装置が実行する「過去番組表呈示/再生制御処理」の例を説明するフローチャートである。
【図２６】図２５と図２６の「過去番組表呈示/再生制御処理」で利用される過去番組表の一部を示す画像の例を示す図である。
【図２７】図２５と図２６の「過去番組表呈示/再生制御処理」で利用されるキーワード別番組表の一部を示す画像の例を示す図である。
【図２８】図２５と図２６の「過去番組表呈示/再生制御処理」で利用されるキーワード別番組表の全体の例を示す図である。
【図２９】本発明が適用される（図１とは異なる形態の）情報処理システムの構成例を示す図である。
【符号の説明】
【０４２７】
１  コンテンツ記録再生装置，  １１  主制御部，  １２  ネットワーク，  １３Ａ，１３Ｂ  コンテンツ記録部２１，    ＣＰＵ，  ４１  ＣＰＵ，  ４５，４５Ａ，４５Ｂ  コンテンツ取得部，  ４６，４６Ａ，４６Ｂ  ＨＤＤ  ５１−１乃至５１−３  チューナ５１  情報呈示統合制御部，  ６２  予約投入部，  ６３  過去番組表管理部，  ７１Ａ，７１Ｂ  録画管理部，  ７２Ａ，７２Ｂ  コンテンツ/メタデータ提供部，  ３０１  主制御装置，  ３０２  ネットワーク，  ３０３Ａ，３０３Ｂ  コンテンツ記録装置
【図１】
2008245324.tif 000003
【図２】
2008245324.tif 000004
【図３】
2008245324.tif 000005
【図４】
2008245324.tif 000006
【図５】
2008245324.tif 000007
【図６】
2008245324.tif 000008
【図７】
2008245324.tif 000009
【図８】
2008245324.tif 000010
【図９】
2008245324.tif 000011
【図１０】
2008245324.tif 000012
【図１１】
2008245324.tif 000013
【図１２】
2008245324.tif 000014
【図１３】
2008245324.tif 000015
【図１４】
2008245324.tif 000016
【図１５】
2008245324.tif 000017
【図１６】
2008245324.tif 000018
【図１７】
2008245324.tif 000019
【図１８】
2008245324.tif 000020
【図１９】
2008245324.tif 000021
【図２０】
2008245324.tif 000022
【図２１】
2008245324.tif 000023
【図２２】
2008245324.tif 000024
【図２３】
2008245324.tif 000025
【図２４】
2008245324.tif 000026
【図２５】
2008245324.tif 000027
【図２６】
2008245324.tif 000028
【図２７】
2008245324.tif 000029
【図２８】
2008245324.tif 000030
【図２９】
2008245324.tif 000031